(57)【要約】  アクセス制御方法、端末およびネットワーク側デバイスを提供する。この方法は、ネットワーク側によって送信されたネットワーク側アクセス関連情報を受信するステップであって、ネットワーク側アクセス関連情報は、第１の情報を含み、第１の情報は、ターゲットセルの初期帯域幅部分の帯域幅またはデフォルト帯域幅部分の帯域幅または第１のアクティブ帯域幅部分の帯域幅を指示する、ステップと、端末は、初期帯域幅部分の帯域幅またはデフォルト帯域幅部分の帯域幅または第１のアクティブ帯域幅部分の帯域幅をサポートしない場合、ネットワーク側アクセス関連情報に従ってターゲットセルをアクセス制御処理するステップとを含む。
2022502952.tif 000002
【特許請求の範囲】
【請求項１】
ネットワーク側によって送信されたネットワーク側アクセス関連情報を受信するステップであって、前記ネットワーク側アクセス関連情報は、第１の情報を含み、前記第１の情報は、ターゲットセルの初期帯域幅部分の帯域幅またはデフォルト帯域幅部分の帯域幅または第１のアクティブ帯域幅部分の帯域幅を指示する、ステップと、
前記端末が、前記初期帯域幅部分の帯域幅またはデフォルト帯域幅部分の帯域幅または第１のアクティブ帯域幅部分の帯域幅をサポートしない場合、前記ネットワーク側アクセス関連情報に従って前記ターゲットセルをアクセス制御処理するステップとを含む、端末に適用されるアクセス制御方法。
【請求項２】
前記ネットワーク側アクセス関連情報に従って、前記ターゲットセルをアクセス制御処理する前記ステップは、具体的には、
前記ターゲットセルへのアクセスを禁止することである、または、
前記ターゲットセルへのアクセスを許可することである、または、
端末側アクセス関連情報を送信することである、または、
ネットワーク側から送信された使用可能指示がイネーブルである場合、端末側のアクセス関連情報を送信することである、または、
端末側アクセス関連情報を送信して、端末側アクセス関連情報に従ってネットワーク側によって決定されたアクセス指示情報を受信して、前記アクセス指示情報が前記端末のアクセスを拒否することを指示す場合、前記ターゲットセルへのアクセスを禁止することである、または
ネットワーク側から送信された使用可能指示がイネーブルである場合、端末側のアクセス関連情報を送信して、端末側アクセス関連情報に基づいてネットワーク側によって決定されたアクセス指示情報を受信して、前記アクセス指示情報が前記端末のアクセスを拒否することを指示する場合、前記ターゲットセルへのアクセスを禁止することである、請求項１に記載のアクセス制御方法。
【請求項３】
前記ネットワーク側アクセス関連情報は、アクセス補助情報をさらに含み、前記アクセス補助情報は、
セルが初期帯域幅部分の帯域幅またはデフォルト帯域幅部分の帯域幅または第１のアクティブ帯域幅部分の帯域幅の端末アクセスをサポートしないことを許可するかどうかを指示するように構成される第２の情報と、
セルが柔軟なスケジューリング制限をサポートするかどうかを指示するように構成される第３の情報と、
セルによってサポートされた最小帯域幅を指示するように構成される第４の情報と、
前記端末がセルの初期帯域幅部分の帯域幅またはデフォルト帯域幅部分の帯域幅または第１のアクティブ帯域幅部分の帯域幅をサポートしない場合、セルへのアクセスを禁止することを指示するように構成される第５の情報と、のうちの少なくとも１つを含む、請求項１に記載のアクセス制御方法。
【請求項４】
前記ネットワーク側アクセス関連情報に従って、前記ターゲットセルをアクセス制御処理する前記ステップは、具体的には、
前記第２の情報また第３の情報が「いいえ」を指示する場合、前記ターゲットセルへのアクセスを禁止することである、
または、
前記端末が前記第４の情報によって指示された最小帯域幅部分をサポートしない場合、前記ターゲットセルへのアクセスを禁止することである、
または、
前記第２の情報または第３の情報が「いいえ」を指示する場合、または前記端末が前記第４の情報によって示された最小帯域幅部分をサポートしない場合、端末側アクセス関連情報を送信することである、
または、
第１のプリセット条件が成立する場合、端末側アクセス関連情報を送信することであって、前記第１のプリセット条件の成立は、前記第２の情報または第３の情報が「いいえ」を指示し、且つネットワーク側から送信された使用可能指示がイネーブルである場合、または前記端末が前記第４の情報によって指示された最小帯域幅部分をサポートせず、且つネットワーク側から送信された使用可能指示がイネーブルである場合を含む、ことである、
または、
前記第２の情報または第３の情報が「いいえ」を指示する場合、または前記端末が前記第４の情報によって示された最小帯域幅部分をサポートしない場合、端末側アクセス関連情報を送信して、端末側アクセス関連情報に基づいてネットワーク側によって決定されたアクセス指示情報を受信し、前記アクセス指示情報が前記端末のアクセスを拒否することを指示する場合、前記ターゲットセルへのアクセスを禁止することである、
または、
第２のプリセット条件が成立する場合、端末側アクセス関連情報を送信し、端末側アクセス関連情報に基づいてネットワーク側によって決定されたアクセス指示情報を受信し、前記アクセス指示情報が前記端末のアクセスを拒否することを指示する場合、前記ターゲットセルへのアクセスを禁止することであって、
前記第２のプリセット条件の成立は、前記第２の情報または第３の情報が「いいえ」を指示し、且つネットワーク側から送信された使用可能指示がイネーブルである場合、または前記端末が前記第４の情報によって指示された最小帯域幅部分をサポートせず、且つネットワーク側から送信された使用可能指示がイネーブルである場合を含む、ことである、請求項３に記載のアクセス制御方法。
【請求項５】
前記端末側アクセス関連情報は、
端末によってサポートされた帯域幅情報を指示するように構成される第６の情報と、
端末がセルの最小帯域幅部分をサポートするかどうかを指示するように構成される第７の情報と、
端末がセルの初期帯域幅部分の帯域幅、またはデフォルト帯域幅部分の帯域幅、または第１のアクティブ帯域幅部分の帯域幅をサポートするかどうかを指示するように構成される第８の情報とのうちの少なくとも１つを含む、請求項２または請求項４に記載のアクセス制御方法。
【請求項６】
前記ターゲットセルへのアクセスを禁止することは、具体的には、
プリセットの期間内に前記ターゲットセルへのアクセスを禁止する操作と、
前記ターゲットセルの同一周波数セルへのアクセスを禁止する操作と、
プリセットの期間内に前記ターゲットセルの同一周波数セルへのアクセスを禁止する操作と、
前記ターゲットセルをセルブラックリストに追加する操作と、
プリセットの期間内に前記ターゲットセルをセルブラックリストに追加する操作と、
隣接セルリストから前記ターゲットセルを削除する操作とのうちの少なくとも１つを含む、請求項２または４に記載のアクセス制御方法。
【請求項７】
前記プリセットの期間は、システム情報ブロードキャストの、セルへのアクセスを禁止する時間とは異なる、請求項６に記載のアクセス制御方法。
【請求項８】
ネットワーク側アクセス関連情報を送信するステップであって、前記ネットワーク側アクセス関連情報は、第１の情報を含み、前記第１の情報は、ターゲットセルの初期帯域幅部分の帯域幅またはデフォルト帯域幅部分の帯域幅または第１のアクティブ帯域幅部分の帯域幅を指示する、ステップを含むネットワーク側デバイスに適用されるアクセス制御方法。
【請求項９】
前記ネットワーク側アクセス関連情報は、アクセス補助情報をさらに含み、前記アクセス補助情報は、
セルが初期帯域幅部分の帯域幅またはデフォルト帯域幅部分の帯域幅または第１のアクティブ帯域幅部分の帯域幅の端末アクセスをサポートしないことを許可するかどうかを指示するように構成される第２の情報と、
セルが柔軟なスケジューリング制限をサポートするかどうかを指示するように構成される第３の情報と、
セルによってサポートされた最小帯域幅を指示するように構成される第４の情報と、
前記端末がセルの初期帯域幅部分の帯域幅またはデフォルト帯域幅部分の帯域幅または第１のアクティブ帯域幅部分の帯域幅をサポートしない場合、セルへのアクセスを禁止することを指示するように構成される第５の情報と、のうちの少なくとも１つを含む、請求項８に記載のアクセス制御方法。
【請求項１０】
前記ネットワーク側アクセス関連情報を送信した後、
第３のプリセット条件または第４のプリセット条件が成立する場合、端末によって送信された端末側アクセス関連情報を受信するステップであって、
前記第３のプリセット条件の成立には、
端末が、前記初期帯域幅部分の帯域幅、またはデフォルト帯域幅部分の帯域幅、または第１のアクティブ帯域幅部分の帯域幅をサポートせず、且つ前記第２の情報または第３の情報が「いいえ」を指示する場合、
または、
端末が、前記初期帯域幅部分の帯域幅、またはデフォルト帯域幅部分の帯域幅、または第１のアクティブ帯域幅部分の帯域幅をサポートせず、且つ前記端末が前記第４の情報によって指示された最小帯域幅部分をサポートしない場合を含み、
第４のプリセット条件の成立には、端末が、前記初期帯域幅部分の帯域幅、またはデフォルト帯域幅部分の帯域幅、または第１のアクティブ帯域幅部分の帯域幅をサポートしない場合を含む、ステップをさらに含む、請求項９に記載のアクセス制御方法。
【請求項１１】
第３のプリセット条件または第４のプリセット条件が成立する場合、端末によって送信された端末側アクセス関連情報を受信した後、この方法は、
アクセス指示情報を送信するステップであって、前記アクセス指示情報は、端末側アクセス関連情報に従ってネットワーク側によって決定され、前記端末のアクセスを許可するかどうかを指示する、ステップをさらに含む、請求項１０に記載のアクセス制御方法。
【請求項１２】
前記端末側アクセス関連情報は、
端末によってサポートされた帯域幅情報を指示するように構成される第６の情報と、
端末がセルの最小帯域幅部分をサポートするかどうかを指示するように構成される第７の情報と、
端末がセルの初期帯域幅部分の帯域幅、またはデフォルト帯域幅部分の帯域幅、または第１のアクティブ帯域幅部分の帯域幅をサポートするかどうかを指示するように構成される第８の情報のうちの少なくとも１つを含む、請求項１０に記載のアクセス制御方法。
【請求項１３】
端末によって送信されたアクセスリクエストを受信するステップと、
ターゲット帯域幅の部分に従って、前記端末をスケジューリングするステップであって、
前記ターゲット帯域幅部分の帯域幅は、前記端末能力によってサポートされた帯域幅部分の帯域幅、またはシステムによってサポートされた最小帯域幅部分の帯域幅、またはセルの初期帯域幅部分の帯域幅、またはデフォルト帯域幅部分の帯域幅、または第１のアクティブ帯域幅部分の帯域幅である、ステップとを含む、ネットワーク側デバイスに適用されるアクセス制御方法。
【請求項１４】
前記ターゲット帯域幅従って前記端末をスケジューリングすることは、
前記端末の能力情報を取得する前に、システムによってサポートされた最小帯域幅部分の帯域幅に従って前記端末をスケジューリングするステップと、
前記端末の能力情報を取得した後、端末の能力にサポートされた帯域幅部分の帯域幅に従って前記端末をスケジューリングするステップとを含む、請求項１３に記載のアクセス制御方法。
【請求項１５】
ネットワーク側によって送信されたネットワーク側アクセス関連情報を受信するように構成される受信モジュールであって、前記ネットワーク側アクセス関連情報は、第１の情報を含み、前記第１の情報は、ターゲットセルの初期帯域幅部分の帯域幅またはデフォルト帯域幅部分の帯域幅または第１のアクティブ帯域幅部分の帯域幅を指示するように構成される受信モジュールと、
前記端末が初期帯域幅部分の帯域幅またはデフォルト帯域幅部分の帯域幅または第１のアクティブ帯域幅部分の帯域幅をサポートしない場合、前記ネットワーク側アクセス関連情報に従って前記ターゲットセルをアクセス制御処理するように構成される処理モジュールとを含む、端末。
【請求項１６】
前記処理モジュールは、具体的には、
前記ターゲットセルへのアクセスを禁止するように構成される、
または、
前記ターゲットセルへのアクセスを許可するように構成される、
または、
端末側のアクセス関連情報を送信するように構成される、
または、
ネットワーク側から送信された使用可能指示がイネーブルである場合、端末側のアクセス関連情報を送信するように構成される、
または、
端末側アクセス関連情報を送信して、端末側アクセス関連情報に従ってネットワーク側によって決定されたアクセス指示情報を受信して、前記アクセス指示情報が前記端末のアクセスを拒否することを指示す場合、前記ターゲットセルへのアクセスを禁止するように構成される、
または、
ネットワーク側から送信された使用可能指示がイネーブルである場合、端末側のアクセス関連情報を送信して、端末側アクセス関連情報に基づいてネットワーク側によって決定されたアクセス指示情報を受信して、前記アクセス指示情報が前記端末のアクセスを拒否することを指示する場合、前記ターゲットセルへのアクセスを禁止するように構成される、請求項１５に記載の端末。
【請求項１７】
前記ネットワーク側アクセス関連情報は、アクセス補助情報をさらに含み、前記アクセス補助情報は、
セルが前記初期帯域幅部分の帯域幅またはデフォルト帯域幅部分の帯域幅または第１のアクティブ帯域幅部分の帯域幅の端末アクセスをサポートしないことを許可するかどうかを指示するように構成される第２の情報と、
セルが柔軟なスケジューリング制限をサポートするかどうかを指示するように構成される第３の情報と、
セルによってサポートされた最小帯域幅を指示するように構成される第４の情報と、
前記端末がセルの初期帯域幅部分の帯域幅またはデフォルト帯域幅部分の帯域幅または第１のアクティブ帯域幅部分の帯域幅をサポートしない場合、セルへのアクセスを禁止することを指示するように構成される第５の情報、のうちの少なくとも１つを含む、請求項１５に記載の端末。
【請求項１８】
前記処理モジュールは、
前記第２の情報また第３の情報が「いいえ」を指示する場合、前記ターゲットセルへのアクセスを禁止するように構成される、
または、
前記端末が前記第４の情報によって指示された最小帯域幅部分をサポートしない場合、前記ターゲットセルへのアクセスを禁止するように構成される、
または、
前記第２の情報または第３の情報が「いいえ」を指示する場合、または前記端末が前記第４の情報によって示された最小帯域幅部分をサポートしない場合、端末側アクセス関連情報を送信するように構成される、
または、
第１のプリセット条件が成立する場合、端末側アクセス関連情報を送信する用途であって、前記第１のプリセット条件の成立は、前記第２の情報または第３の情報が「いいえ」を指示し、且つネットワーク側から送信された使用可能指示がイネーブルである場合、または前記端末が前記第４の情報によって指示された最小帯域幅部分をサポートせず、且つネットワーク側から送信された使用可能指示がイネーブルである場合を含むように構成される、
または、
前記第２の情報または第３の情報が「いいえ」を指示する場合、または前記端末が前記第４の情報によって示された最小帯域幅部分をサポートしない場合、端末側アクセス関連情報を送信して、端末側アクセス関連情報に基づいてネットワーク側によって決定されたアクセス指示情報を受信し、前記アクセス指示情報が前記端末のアクセスを拒否することを指示する場合、前記ターゲットセルへのアクセスを禁止する、ように構成される、
または、
第２のプリセット条件が成立する場合、端末側アクセス関連情報を送信し、端末側アクセス関連情報に基づいてネットワーク側によって決定されたアクセス指示情報を受信し、前記アクセス指示情報が前記端末のアクセスを拒否することを指示する場合、前記ターゲットセルへのアクセスを禁止する、ように構成され、
前記第２のプリセット条件の成立は、前記第２の情報または第３の情報が「いいえ」を指示し、且つネットワーク側から送信された使用可能指示がイネーブルである場合、または前記端末が前記第４の情報によって指示された最小帯域幅部分をサポートせず、且つネットワーク側から送信された使用可能指示がイネーブルである場合を含む、ように構成される、請求項１７に記載の端末。
【請求項１９】
前記端末側アクセス関連付け情報は、
端末によってサポートされた帯域幅情報を指示するように構成される第６の情報と、
端末がセルの最小帯域幅部分をサポートするかどうかを指示するように構成される第７の情報と、
端末がセルの初期帯域幅部分の帯域幅、またはデフォルト帯域幅部分の帯域幅、または第１のアクティブ帯域幅部分の帯域幅をサポートするかどうかを指示するように構成される第８の情報のうちの少なくとも１つを含む、請求項１６または請求項１８に記載の端末。
【請求項２０】
前記処理モジュールは、具体的には、
プリセットの期間内に前記ターゲットセルへのアクセスを禁止する操作と、
前記ターゲットセルの同一周波数セルへのアクセスを禁止する操作と、
プリセットの期間内に前記ターゲットセルの同一周波数セルへのアクセスを禁止する操作と、
前記ターゲットセルをセルブラックリストに追加する操作と、
プリセットの期間内に前記ターゲットセルをセルブラックリストに追加する操作と、
隣接セルリストから前記ターゲットセルを削除する操作とのうちの少なくとも１つを実行するように構成される、請求項１６または１８に記載の端末。
【請求項２１】
前記プリセットの時間は、システム情報ブロードキャストの、セルへのアクセスを禁止する時間とは異なる、請求項２０に記載の端末。
【請求項２２】
ネットワーク側アクセス関連情報を送信するように構成される第１の送信モジュールであって、前記ネットワーク側アクセス関連情報は、第１の情報を含み、前記第１の情報は、ターゲットセルの初期帯域幅部分の帯域幅またはデフォルト帯域幅部分の帯域幅または第１のアクティブ帯域幅部分の帯域幅を指示するように構成される第１の送信モジュールを含むネットワーク側デバイス。
【請求項２３】
前記ネットワーク側アクセス関連情報は、アクセス補助情報をさらに含み、前記アクセス補助情報は、
セルが前記初期帯域幅部分の帯域幅またはデフォルト帯域幅部分の帯域幅または第１のアクティブ帯域幅部分の帯域幅の端末アクセスをサポートしないことを許可するかどうかを指示するように構成される第２の情報と、
セルが柔軟なスケジューリング制限をサポートするかどうかを指示するように構成される第３の情報と、
セルによってサポートされた最小帯域幅を指示するように構成される第４の情報と、
前記端末がセルの初期帯域幅部分の帯域幅またはデフォルト帯域幅部分の帯域幅または第１のアクティブ帯域幅部分の帯域幅をサポートしない場合、セルへのアクセスを禁止することを指示するように構成される第５の情報、のうちの少なくとも１つを含む、請求項２２に記載のネットワーク側デバイス。
【請求項２４】
第３のプリセット条件または第４のプリセット条件が成立する場合、端末によって送信された端末側アクセス関連情報を受信する受信モジュールであって、
前記第３のプリセット条件の成立には、
端末が、前記初期帯域幅部分の帯域幅またはデフォルト帯域幅部分の帯域幅または第１のアクティブ帯域幅部分の帯域幅をサポートせず、且つ前記第２の情報または第３の情報が「いいえ」を指示する場合、
または、
端末が、前記初期帯域幅部分の帯域幅またはデフォルト帯域幅部分の帯域幅または第１のアクティブ帯域幅部分の帯域幅をサポートせず、且つ前記端末が前記第４の情報によって指示された最小帯域幅部分をサポートしない場合を含み、
前記第４のプリセット条件の成立には、端末は、前記初期帯域幅部分の帯域幅、またはデフォルト帯域幅部分の帯域幅、または第１のアクティブ帯域幅部分の帯域幅をサポートしない場合を含む、受信モジュールをさらに含む、請求項２３に記載のネットワーク側デバイス。
【請求項２５】
アクセス指示情報を送信するように構成される第２の送信モジュールであって、前記アクセス指示情報は、端末側アクセス関連情報に従ってネットワーク側によって決定され、前記端末のアクセスを許可するかどうかを指示するように構成される第２の送信モジュールをさらに含む、請求項２４に記載のネットワーク側デバイス。
【請求項２６】
前記端末側アクセス関連情報は、
端末によってサポートされた帯域幅情報を指示するように構成される第６の情報と、
端末がセルの最小帯域幅部分をサポートするかどうかを指示するように構成される第７の情報と、
端末がセルの初期帯域幅部分の帯域幅、またはデフォルト帯域幅部分の帯域幅、または第１のアクティブ帯域幅部分の帯域幅をサポートするかどうかを指示するように構成される第８の情報のうちの少なくとも１つを含む、請求項２４に記載のネットワーク側デバイス。
【請求項２７】
端末によって送信されたアクセスリクエストを受信するように構成される受信モジュールと、
ターゲット帯域幅の部分に従って前記端末をスケジューリングするように構成されるスケジューリングモジュールであって、
前記ターゲット帯域幅部分の帯域幅は、前記端末能力によってサポートされた帯域幅部分の帯域幅、またはシステムによってサポートされた最小帯域幅部分の帯域幅、またはセルの初期帯域幅部分の帯域幅、またはデフォルト帯域幅部分の帯域幅、または第１のアクティブ帯域幅部分の帯域幅であるように構成されるスケジューリングモジュールとを含む、ネットワーク側デバイス。
【請求項２８】
前記スケジューリングモジュールは、具体的には、
前記端末の能力情報を取得する前に、システムによってサポートされた最小帯域幅部分の帯域幅に従って前記端末をスケジューリングするように構成され、
前記端末の能力情報を取得した後、端末の能力にサポートされた帯域幅部分の帯域幅に従って前記端末をスケジューリングするように構成される、請求項２７に記載のネットワーク側デバイス。
【請求項２９】
前記メモリ、前記プロセッサと、メモリに格納され且つプロセッサ上で実行可能なプログラムとを含む端末であって、前記プログラムが前記プロセッサによって実行されるとき、請求項１〜７のいずれか一項に記載のアクセス制御方法のステップを実現する、端末。
【請求項３０】
メモリと、プロセッサと、前記メモリに格納され且つ前記プロセッサ上で実行可能なプログラムとを含むネットワーク側デバイスであって、前記プログラムが前記プロセッサによって実行されるとき、請求項８〜１２のいずれか一項に記載のアクセス制御方法のステップを実現する、または請求項１３〜１４のいずれか一項に記載のアクセス制御方法のステップを実現する、ネットワーク側デバイス。
【請求項３１】
プログラムが格納されるコンピュータ読み取り可能な記憶媒体であって、前記プログラムがプロセッサによって実行されるとき、請求項１〜７のいずれか一項に記載のアクセス制御方法のステップを実現する、または請求項８〜１２のいずれか一項に記載のアクセス制御方法のステップを実現する、または請求項１３〜１４のいずれかに記載のアクセス制御方法のステップを実現する、コンピュータ読み取り可能な記憶媒体。
【発明の詳細な説明】
【技術分野】
【０００１】
（関連する出願の相互参照）
本出願は２０１８年９月２７日に中国で提出された中国特許出願番号Ｎｏ.２０１８１１１３４４１２.９の優先権を主張しており、そのすべての内容は引用によりここに含まれている。
本発明は、通信技術の分野に関し、特にアクセス制御方法、端末およびネットワーク側デバイスに関する。
【背景技術】
【０００２】
モバイル通信システムの発達に伴い、第５世代（５−ｔｈ  Ｇｅｎｅｒａｔｉｏｎ、５Ｇ）システムが徐々に使用されている。５Ｇシステムは、ロングタームエボリューションシステム（Ｌｏｎｇ  Ｔｅｒｍ  Ｅｖｏｌｕｔｉｏｎ、ＬＴＥ）よりもはるかに広いシステム帯域幅をサポートし、より大きなシステムとユーザーのスループットをサポートすることができる。低コストのＵＥを実現するために、５Ｇシステムはまた、システム帯域幅を複数の帯域幅部分（Ｂａｎｄ  Ｗｉｄｔｈ  Ｐａｒｔ、ＢＷＰ）に分割して狭帯域エンドユーザをサポートする動的で柔軟な帯域幅割り当てをサポートする。
【０００３】
関連技術では、システムが異なるＢＷＰ帯域幅をサポートする場合、基地局は、ユーザーがセルにアクセスする前に、ユーザ装置（Ｕｓｅｒ  Ｅｑｕｉｐｍｅｎｔ、ＵＥ）によってサポートされた帯域幅を知らない。ユーザ装置は、初期アクセスＢＷＰ帯域幅がユーザ装置によってサポートされた帯域幅能力よりも大きいセルに入ると、このセルで初期アクセスを繰り返し開始し、ユーザ装置のアクセス遅延およびランダムアクセスチャネル（Ｒａｎｄｏｍ  Ａｃｃｅｓｓ  Ｃｈａｎｎｅｌ、ＲＡＣＨ）リソースの浪費を招く。
【発明の概要】
【発明が解決しようとする課題】
【０００４】
本発明の実施例は、ユーザ装置のアクセス遅延およびシステムのＲＡＣＨリソースの浪費の問題を解決するためのアクセス制御方法、端末、およびネットワーク側デバイスを提供する。
【課題を解決するための手段】
【０００５】
上記の技術的問題を解決するために、本発明は以下のように実施される。
【０００６】
第１の態様では、本発明の実施例は、端末に適用されるアクセス制御方法を提供し、
この方法は、ネットワーク側によって送信されたネットワーク側アクセス関連情報を受信するステップであって、前記ネットワーク側アクセス関連情報は、第１の情報を含み、前記第１の情報は、ターゲットセルの初期帯域幅部分の帯域幅またはデフォルト帯域幅部分の帯域幅または第１のアクティブ帯域幅部分の帯域幅を指示する、ステップと、
前記端末が初期帯域幅部分の帯域幅またはデフォルト帯域幅部分の帯域幅または第１のアクティブ帯域幅部分の帯域幅をサポートしない場合、ネットワーク側アクセス関連情報に従って、前記ターゲットセルをアクセス制御処理する、ステップとを含む。
【０００７】
第２の態様では、本発明の実施例は、ネットワーク側デバイスに適用されるアクセス制御方法をさらに提供し、この方法は、
ネットワーク側アクセス関連情報を送信するステップであって、前記ネットワーク側アクセス関連情報は、第１の情報を含み、前記第１の情報は、ターゲットセルの初期帯域幅部分の帯域幅またはデフォルト帯域幅部分の帯域幅または第１のアクティブ帯域幅部分の帯域幅を指示する、ステップを含む。
【０００８】
第３の態様では、本発明の実施例は、ネットワーク側デバイスに適用されるアクセス制御方法をさらに提供し、この方法は、
端末によって送信されたアクセスリクエストを受信するステップと、
ターゲット帯域幅の部分に従って、前記端末をスケジューリングするステップであって、
前記ターゲット帯域幅部分の帯域幅は、前記端末能力によってサポートされた帯域幅部分の帯域幅、またはシステムによってサポートされた最小帯域幅部分の帯域幅、またはセルの初期帯域幅部分の帯域幅、またはデフォルト帯域幅部分の帯域幅、または第１のアクティブ帯域幅部分の帯域幅である、ステップとを含む。
【０００９】
第４の態様では、本発明の実施例は、メモリと、プロセッサと、メモリに格納され且つプロセッサ上で実行可能なプログラムとを含む端末をさらに提供し、前記プログラムが前記プロセッサによって実行されるとき、上記に記載のアクセス制御方法のステップを実現する。
【００１０】
第５の態様では、本発明の実施例は、メモリと、プロセッサと、メモリに格納され且つプロセッサ上で実行可能なプログラムを含むネットワーク側デバイスを提供し、前記プログラムが前記プロセッサによって実行されるとき、上記に記載のアクセス制御方法のステップを実現する。
【００１１】
第６の態様では、本発明の実例は、プログラムが格納されるコンピュータ読み取り可能な記憶媒体を提供し、前記コンピュータプログラムがプロセッサによって実行されるとき、上記に記載のアクセス制御方法のステップを実現する。
【発明の効果】
【００１２】
本発明の実施例では、ネットワーク側によって送信されたネットワーク側アクセス関連情報を受信し、前記ネットワーク側アクセス関連情報は、第１の情報を含み、前記第１の情報は、ターゲットセルの初期帯域幅部分の帯域幅またはデフォルト帯域幅部分の帯域幅または第１のアクティブ帯域幅部分の帯域幅を指示する。前記端末が初期帯域幅部分の帯域幅またはデフォルト帯域幅部分の帯域幅または第１のアクティブ帯域幅部分の帯域幅をサポートしない場合、ネットワーク側アクセス関連情報に従って、前記ターゲットセルをアクセス制御処理する。このように、端末は、初期帯域幅部分の帯域幅またはデフォルト帯域幅部分の帯域幅または第１のアクティブ帯域幅部分の帯域幅をサポートしない場合、ネットワーク側アクセス関連情報に従ってターゲットセルをアクセス制御処理することができ、端末のアクセス遅延を低減することができ、システムのＲＡＣＨリソースの浪費を低減することができ、端末の電力消費を低減することができる。
【００１３】
本発明の実施例における技術的なソリューションについて、さらに明確に説明するために、以降では、本発明の実施例の記載のために必要とされる添付の図面について簡単に説明する。明らかに、以降の説明における添付の図面は、本発明のいくつかの実施例を示しているにすぎず、当業者なら、それでもなお、創造的な努力を伴わずにこれらの添付の図面からその他の図面を導き出し得る。
【図面の簡単な説明】
【００１４】
【図１】本発明の実施例によるアクセス制御方法の第１の流れ図である。
【図２】本発明の実施例によるアクセス制御方法の第２の流れ図のである。
【図３】本発明の実施例によるアクセス制御方法の第３の流れ図のである。
【図４】本発明の実施例による端末の第１の構造図である。
【図５】本発明の実施例によるネットワーク側デバイスの第１の構造図である。
【図６】本発明の実施例によるネットワーク側デバイスの第２の構造図である。
【図７】本発明の実施例による端末の第２の構造図である。
【図８】本発明の実施例によるネットワーク側デバイスの第３の構造図である。
【発明を実施するための形態】
【００１５】
以下、本発明の実施例における添付の図面に関して、本出願の実施例における技術的なソリューションを明確かつ完全に説明するが、明らかに、記載されている実施例は、本発明の実施例の一部であり、すべての実施例ではない。当業者が創造的な努力を伴わずに本発明の実施例に基づいて導き出したその他の実施例は、すべて本出願の保護範囲に含まれる。
【００１６】
本発明の実施例によるアクセス制御方法の流れ図である図１を参照すると、図１に示すように、端末に適用されるアクセス制御方法は、以下の１０１ステップと１０２ステップを含む。
【００１７】
ステップ１０１：ネットワーク側によって送信されたネットワーク側アクセス関連情報を受信し、前記ネットワーク側アクセス関連情報は、第１の情報を含み、前記第１の情報は、ターゲットセルの初期帯域幅部分の帯域幅またはデフォルト帯域幅部分の帯域幅または第１のアクティブ帯域幅部分の帯域幅を指示する。
【００１８】
ここで、上記の第１の情報は、ターゲットセルの初期帯域幅部分の帯域幅、ターゲットセルのデフォルト帯域幅部分の帯域幅、および第１のアクティブ帯域幅部分の帯域幅のうちのいずれか１つまたは複数を指示するための情報であってもよい。
【００１９】
このステップでは、端末は、ネットワーク側デバイスによって送信されたネットワーク側関連情報を受信する。ここで、上記の第１の情報は、ＭＩＢ（Ｍａｓｔｅｒ  Ｉｎｆｏｒｍａｔｉｏｎ  Ｂｌｏｃｋ、主要情報ブロック）、ＳＩＢ１（Ｓｙｓｔｅｍ  Ｉｎｆｏｒｍａｔｉｏｎ  Ｂｌｏｃｋ１、第１システム情報ブロック）、専用ＲＲＣ（Ｒａｄｉｏ  Ｒｅｓｏｕｒｃｅ  Ｃｏｎｔｒｏｌ、無線リソース制御）シグナリングのいずれかを介して受信することができる。ここで、専用のＲＲＣシグナリングは、同期再構成シグナリング（Ｒｅｃｏｎｆｉｇｕｒａｔｉｏｎ  ｗｉｔｈ  Ｓｙｎｃ）、または再構成（Ｒｅｃｏｎｆｉｇｕｒａｔｉｏｎ）、またはハンドオーバーコマンド（Ｈａｎｄｏｖｅｒ  Ｃｏｍｍａｎｄ）、ＲＲＣ解放メッセージ、ＲＲＣサスペンドコマンドなどを含む。
【００２０】
本発明の具体的な実施形態では、端末は、上記の第１の情報に基づいてアクセス制御処理を実行することができ、これについては、さらに詳細に後述する。
【００２１】
任意選択で、前記ネットワーク側アクセス関連情報は、端末がより正確なアクセス制御処理を実行するための他のアクセス補助情報も含む。
【００２２】
前記アクセス補助情報は、
セルが初期帯域幅部分の帯域幅またはデフォルト帯域幅部分の帯域幅または第１のアクティブ帯域幅部分の帯域幅の端末アクセスをサポートしないことを許可するかどうかを指示するように構成される第２の情報と、
セルが柔軟なスケジューリング制限をサポートするかどうかを指示するように構成される第３の情報と、
セルによってサポートされた最小帯域幅を指示するように構成される第４の情報と、
前記端末がセルの初期帯域幅部分の帯域幅またはデフォルト帯域幅部分の帯域幅または第１のアクティブ帯域幅部分の帯域幅をサポートしない場合、セルへのアクセスを禁止することを指示するように構成される第５の情報、のうちの少なくとも１つを含み得る。
【００２３】
ここで、上記のアクセス補助情報は、ＭＩＢ（Ｍａｓｔｅｒ  Ｉｎｆｏｒｍａｔｉｏｎ  Ｂｌｏｃｋ、主要情報ブロック）、ＳＩＢ１（Ｓｙｓｔｅｍ  Ｉｎｆｏｒｍａｔｉｏｎ  Ｂｌｏｃｋ１、第１システム情報ブロック）、専用ＲＲＣ（Ｒａｄｉｏ  Ｒｅｓｏｕｒｃｅ  Ｃｏｎｔｒｏｌ、無線リソース制御）シグナリングのいずれかを介して受信することができる。ここで、専用のＲＲＣシグナリングは、同期再構成シグナリング（Ｒｅｃｏｎｆｉｇｕｒａｔｉｏｎ ｗｉｔｈ  Ｓｙｎｃ）、またはハンドオーバーコマンド（Ｈａｎｄｏｖｅｒ  Ｃｏｍｍａｎｄ）、ＲＲＣ解放メッセージ、ＲＲＣサスペンドコマンドなどを含む。
【００２４】
上記の第３の情報では、柔軟なスケジューリング制限とは、ネットワーク側デバイスがシステム最小帯域幅、または初期帯域幅部分の帯域幅、またはデフォルト帯域幅部分の帯域幅、または第１のアクティブ帯域幅部分の帯域幅のいずれかでランダムアクセスされた端末をスケジューリングするか、または異なる帯域幅を使用してアクセスされた端末に対し柔軟なスケジューリングを実施することであることと理解することができる。
【００２５】
ネットワーク側デバイスは、上記の補助アクセス情報を事前設定されている方法で端末に送信することができ、端末はさらに、上記の補助アクセス情報に従ってターゲットセルへのアクセス処理を決定し、それによってアクセス処理の柔軟性を向上させる。
【００２６】
ステップ１０２：前記端末が初期帯域幅部分の帯域幅またはデフォルト帯域幅部分の帯域幅または第１のアクティブ帯域幅部分の帯域幅をサポートしない場合、ネットワーク側アクセス関連情報に従って、前記ターゲットセルをアクセス制御処理する。
【００２７】
前述のように、ネットワーク側アクセス関連情報には、第１の情報のみを含んでもよいし、第１の情報にアクセス補助情報を追加してもよく、以下では、２つの場合についてそれぞれ説明する。
【００２８】
＜場合１：ネットワーク側アクセス関連情報には第１の情報のみを含む＞
【００２９】
ネットワーク側アクセス関連情報が第１の情報のみを含む場合、端末は、自身が初期帯域幅部分の帯域幅、デフォルト帯域幅部分の帯域幅、または第１のアクティブ帯域幅部分をサポートするかどうかを判断し、判断結果に従ってアクセス制御処理を実行することができる。
【００３０】
任意選択で、前記端末が初期帯域幅部分の帯域幅またはデフォルト帯域幅部分の帯域幅または第１のアクティブ帯域幅部分の帯域幅をサポートしない場合、以下のいずれかの意思決定に従って前記ターゲットセルをアクセス制御処理する。
【００３１】
意思決定１：前記ターゲットセルへのアクセスを禁止する。
【００３２】
該意思決定では、端末がステップ１０２に記載の条件を満たす場合、ターゲットセルへのアクセスを禁止する。
【００３３】
意思決定２：前記ターゲットセルへのアクセスを許可する。
【００３４】
該意思決定では、端末がステップ１０２に記載の条件を満たす場合、ターゲットセルへのアクセスを許可し、ネットワーク側デバイスにアクセスリクエストを送信することができ、このようにして、ネットワーク側デバイスがアクセスを許可するかどうかを決定することができ、これについては後で詳しく説明する。
【００３５】
意思決定３：端末側アクセス関連情報を送信する。
【００３６】
該意思決定では、端末がステップ１０２に記載の条件を満たす場合、端末側アクセス関連情報をネットワーク側に送信し、これによって、ネットワーク側デバイスに従ってセルにアクセスするかどうかを指示して意思決定することができる。ここで、前記端末側アクセス関連情報は、
端末によってサポートされた帯域幅情報を指示するように構成される第６の情報と、
端末がセルの最小帯域幅部分をサポートするかどうかを指示するように構成される第７の情報と、
端末がセルの初期帯域幅部分の帯域幅、またはデフォルト帯域幅部分の帯域幅、または第１のアクティブ帯域幅部分の帯域幅をサポートするかどうかを指示するように構成される第８の情報のうちの少なくとも１つを含む。
【００３７】
意思決定４：ネットワーク側から送信された使用可能指示がＥｎａｂｌｅであることを受信した場合、端末側アクセス関連情報を送信する。
【００３８】
該意思決定は、意思決定３に基づいてさらに規定されるものであって、端末は、ネットワーク側から送信された送信許可指示を受信した場合、端末側アクセス関連情報をネットワーク側に送信する。ここで、端末側アクセス関連情報の内容は、意思決定３の記載を参照することができる。
【００３９】
このようにして、ネットワーク帯域幅を節約することができ、例えば、ネットワーク側が、端末の能力情報を知り、端末が前記初期帯域幅部分の帯域幅またはデフォルト帯域幅部分の帯域幅または第１のアクティブ帯域幅部分の帯域幅をサポートしないと判断し、且つそれ自体も前記初期帯域幅部分の帯域幅またはデフォルト帯域幅部分の帯域幅または第１のアクティブ帯域幅部分の帯域幅をサポートしない端末アクセスを許可しない場合、Ｄｉｓａｂｌｅである使用可能指示を送信して端末の送信を阻止することができる。逆に、Ｅｎａｂｌｅである使用可能指示を送信して、端末側アクセス関連情報が端末によって送信されることができる。
【００４０】
さらに、ネットワークは、ネットワーク側が端末によって送信されたアクセス関連情報をサポートするかどうかに従って端末へのアクセス制御を実施し、これによって、端末が端末側アクセス関連情報を送信することを許可するかどうかを決定することができる。例えば、ネットワーク側が柔軟な帯域幅スケジューリングをサポートする場合、または、システム最小帯域幅または初期帯域幅部分の帯域幅またはデフォルト帯域幅部分の帯域幅または第１の帯域幅部分の帯域幅のいずれかでアクセスされた端末をスケジューリングする場合、ネットワーク側は、端末がこのアクセス関連情報を送信することを許可しなくてもよい。この場合、使用可能指示をＤｉｓａｂｌｅとする。ネットワーク側が、端末によって送信されたアクセス関連情報に従って端末のアクセスを許可するかどうかを判断する必要がある場合、使用可能指示をＥｎａｂｌｅとする。
【００４１】
意思決定５：端末側アクセス関連情報を送信し、アクセス指示情報を受信する。前記アクセス指示情報は、端末側アクセス関連情報に従ってネットワーク側によって決定され、前記端末のアクセスを許可するかどうかを指示し、前記アクセス指示情報が前記端末のアクセスを拒否することを指示する場合、前記ターゲットセルへのアクセスを禁止する。
【００４２】
該意思決定では、端末は、端末側アクセス関連情報をネットワーク側に送信し、ネットワーク側からの指示に従ってターゲットセルにアクセスするかどうかを決定する。
【００４３】
ネットワーク側デバイスは、端末側アクセス関連情報によって指示された端末によってサポートされた帯域幅部分に基づいて、端末がセルの帯域幅部分をサポートするかどうかを決定することができ、すなわち、端末がターゲットセルにアクセスする条件を満たすかどうかを決定することができる、または、端末側アクセス関連情報によって指示された端末がセルの最小帯域幅部分をサポートするかどうかに従って、端末がターゲットセルにアクセスする条件を満たすかどうかを決定する、または、端末側アクセス関連情報によって指示された端末がセルの初期帯域幅部分の帯域幅またはデフォルト帯域幅の帯域幅または第１のアクティブ帯域幅部分の帯域幅をサポートするかどうかに従って、端末がターゲットセルにアクセスする条件を満たすかどうかを決定する。
【００４４】
ネットワーク側デバイスは、上記の判断結果に基づいて端末のアクセスを許可するかどうかについての指示情報を端末側に送信する。アクセス指示情報がターゲットセルへの端末のアクセスを拒否することを指示する場合、端末は、ネットワーク側の指示に従ってターゲットセルへのアクセスを禁止する。
【００４５】
意思決定６：ネットワーク側から送信された使用可能指示がＥｎａｂｌｅであることを受信した場合、端末側アクセス関連情報を送信し、アクセス指示情報を受信する。前記アクセス指示情報は、端末側アクセス関連情報に従ってネットワーク側によって決定され、前記端末のアクセスを許可するかどうかを指示し、前記アクセス指示情報が前記端末のアクセスを拒否することを指示する場合、前記ターゲットセルへのアクセスを禁止する。
【００４６】
該意思決定は、意思決定５に基づいてさらに規定されるものであって、すなわち、ネットワーク側から送信された使用可能指示がＥｎａｂｌｅであることを受信した場合、端末側アクセス関連情報をに送信する。
【００４７】
この実施形態では、端末がターゲットセル帯域幅をサポートしない場合、すなわち、前記端末が前記初期帯域幅部分の帯域幅、またはデフォルト帯域幅部分の帯域幅、または第１のアクティブ帯域幅部分の帯域幅をサポートしない場合、端末は、上記のいずれかの意思決定に従ってアクセス制御処理を実施し、アクセス効率を向上させ、ＵＥアクセス遅延を低減し、システムのＲＡＣＨリソースの浪費を低減する。
【００４８】
＜場合２：ネットワーク側関連情報は第１の情報とアクセス補助情報を含む＞
【００４９】
ネットワーク側アクセス関連情報が第１の情報とアクセス補助情報を含む場合、端末は、前記ネットワーク側アクセス関連情報とアクセス補助情報に従って以下の意思決定で前記ターゲットセルをアクセス制御処理することができ、意思決定の精度を向上させることができる。
【００５０】
意思決定１：前記第２の情報または第３の情報が「いいえ」を指示する場合、前記ターゲットセルへのアクセスを禁止する。
【００５１】
すなわち、セルが初期帯域幅部分の帯域幅またはデフォルト帯域幅部分の帯域幅または第１のアクティブ帯域幅部分の帯域幅をサポートしない端末のアクセスを許可しないようにネットワーク側によって指示される場合、端末は、ネットワーク側アクセス関連情報に基づいてターゲットセルへのアクセスを禁止する、即ち、ターゲットセルは選択、再選択の候補セルとして選択されない。
【００５２】
意思決定２：前記端末が前記第４の情報によって指示された最小帯域幅をサポートしない場合、ターゲットセルへのアクセスを禁止する。
【００５３】
該意思決定では、端末は、セルによってサポートされた最小帯域幅をサポートせず、ターゲットセルへの端末のアクセスを禁止する。
【００５４】
すなわち、端末がセルによってサポートされた最小帯域幅をサポートしない場合、ネットワーク側によって許可されても、端末は、セルにアクセスすることができず、このとき、端末は、ネットワーク側アクセス関連情報に基づいてターゲットセルへのアクセスを禁止する、即ち、ターゲットセルは選択、再選択の候補セルとして選択されない。
【００５５】
意思決定３：前記第２の情報または第３の情報が「いいえ」を指示する場合、または前記端末が第４の情報によって示された最小帯域幅部分をサポートしない場合、端末側アクセス関連情報を送信する。
【００５６】
該意思決定では、意思決定１または意思決定２の条件と同じである場合、端末は先にターゲットセルへのアクセスを禁止するかどうかを意思決定することではなく、さらに端末側アクセス関連情報をネットワーク側に送信し、ネットワーク側デバイスに端末側アクセス関連情報に従ってセルへのアクセスを許可するかどうかを決定させ、ネットワーク側の指示に従ってセルにアクセスするかどうかを意思決定させることである。ここで、前記端末側アクセス関連情報は、
端末によってサポートされた帯域幅情報を指示するように構成される第６の情報と、
端末がセルの最小帯域幅部分をサポートするかどうかを指示するように構成される第７の情報と、
端末がセルの初期帯域幅部分の帯域幅、またはデフォルト帯域幅部分の帯域幅、または第１のアクティブ帯域幅部分の帯域幅をサポートするかどうかを指示するように構成される第８の情報のうちの少なくとも１つを含む。
【００５７】
意思決定４：前記第２の情報また第３の情報が「いいえ」を指示する場合、または前記端末が前記第４の情報によって指示された最小帯域幅部分をサポートしない場合、端末側アクセス関連情報を送信し、アクセス指示情報を受信する。前記アクセス指示情報は、端末側アクセス関連情報に従ってネットワーク側によって決定され、前記端末のアクセスを許可するかどうかを指示し、前記アクセス指示情報が前記端末のアクセスを拒否することを指示する場合、前記ターゲットセルへのアクセスを禁止する。
【００５８】
該意思決定と意思決定３の違いは、さらにネットワーク側の指示情報を受信するかどうかにある。ネットワーク側は、端末側アクセス関連情報に基づいて、端末がターゲットセルにアクセスする条件を満たすかどうかを決定することができる。指示情報が端末のアクセスを拒否することを指示する場合、端末がターゲットセルにアクセスする条件を満たさないことを意味し、ターゲットセルへの端末のアクセスを禁止する。
【００５９】
もちろん、第２の情報または第３の情報が「はい」を指示する場合、または前記端末が前記第４の情報によって指示された最小帯域幅部分をサポートする場合、端末は、セルの選択再選択条件およびプロセスに従ってセルの選択再選択を行うことができる。
【００６０】
この実施形態では、端末が初期帯域幅部分の帯域幅またはデフォルト帯域幅部分の帯域幅または第１のアクティブ帯域幅部分の帯域幅をサポートしない場合、さらにネットワーク側から送信されたアクセス補助情報に基づいて意思決定を行うことにより、端末アクセス遅延と端末の電力消費を低減し、同時にシステムのＲＡＣＨリソースの浪費も低減する。
【００６１】
もちろん、本発明の具体的な実施形態では、ネットワーク側の使用可能指示に合わせて、意思決定をさらに整備することもでき、この場合、本発明の具体的な実施形態は意思決定５と意思決定６をさらに含み得る。
【００６２】
ここで、
意思決定５：前記第２の情報また第３の情報が「いいえ」を指示する場合、または前記端末が前記第４の情報によって指示された最小帯域幅部分をサポートしないが、ネットワーク側から送信された使用可能指示がイネーブルである場合、端末側アクセス関連情報を送信する。
【００６３】
すなわち、第１のプリセット条件が成立する場合、端末側アクセス関連情報を送信し、前記第１のプリセット条件の成立は、２つの場合を含み、
前記第２の情報または第３の情報が「いいえ」を指示し、且つネットワーク側から送信された使用可能指示がイネーブルである場合、
または、
前記端末が、前記第４の情報によって指示された最小帯域幅部分をサポートせず、且つネットワーク側から送信された使用可能指示がイネーブルである場合。
【００６４】
意思決定６：
前記第２の情報または第３の情報が「いいえ」を指示する場合、または前記端末が前記第４の情報によって指示された最小帯域幅部分をサポートしないが、ネットワーク側から送信された使用可能指示がイネーブルである場合、端末側アクセス関連情報を送信して、端末側アクセス関連情報に基づいてネットワーク側によって決定されたアクセス指示情報を受信し、前記アクセス指示情報が前記端末のアクセスを拒否することを指示する場合、前記ターゲットセルへのアクセスを禁止する。
【００６５】
すなわち、第２のプリセット条件が成立する場合、端末側アクセス関連情報を送信し、端末側アクセス関連情報に基づいてネットワーク側によって決定されたアクセス指示情報を受信し、前記アクセス指示情報が前記端末のアクセスを拒否することを指示する場合、前記ターゲットセルへのアクセスを禁止することであって、
第２のプリセット条件の成立は、以下の２つの場合を含み、
前記第２の情報または第３の情報が「いいえ」を指示し、且つネットワーク側から送信された使用可能指示がイネーブルである場合、
または、
前記端末が、前記第４の情報によって指示された最小帯域幅部分をサポートせず、且つネットワーク側から送信された使用可能指示がイネーブルである場合。
【００６６】
本発明の具体的な実施例では、ターゲットセルへのアクセスを禁止することは、ターゲットセルへのアクセスを直接禁止することであってもよく、または以下の操作のうちの少なくとも１つであってもよい。
操作１：プリセットの期間内に前記ターゲットセルへのアクセスを禁止する。
操作２：前記ターゲットセルの同一周波数セルへのアクセスを禁止する。
操作３：プリセットの期間内に前記ターゲットセルの同一周波数セルへのアクセスを禁止する。
操作４：前記ターゲットセルをセルブラックリストに追加する。
操作５：プリセットの期間内に前記ターゲットセルをセルブラックリストに追加する。
操作６：隣接セルリストから前記ターゲットセルを削除する。
【００６７】
ここで、前述した前記ターゲットセルへのアクセスを禁止することは、端末がターゲットセル、ターゲットセルの同一周波数セルなどへのアクセスを禁止することを指すことを説明すべきことである。
【００６８】
上記の操作１から操作６は、ターゲットセルへのアクセスを禁止する操作に対するさらなる限定であり得る。ここで、端末は、操作２と操作３のいずれかを選択することができ、操作４と操作５のいずれかを選択することができ、その他の操作については、複数の操作を同時に実行することができる。
【００６９】
操作１において、端末は、プリセットの期間内にセル選択再選択候補セルからターゲットセルを除外し、前述のプリセットの期間後、ターゲットセルを再選択候補セルとすることができる。
【００７０】
操作３において、端末は、プリセットの期間内に選択再選択候補セルからターゲットセルの属する周波数の他の同一周波数セルを除外し、前述のプリセットの期間後、端末は、ターゲットセルの属する周波数の他の同一周波数セルを再選択候補セルとすることができる。
【００７１】
この実施形態では、上記操作によるターゲットセルへの端末のアクセスを禁止することにより、セル選択の柔軟性を向上させ、アクセス効率を向上させ、アクセス遅延を低減することができる。
【００７２】
任意選択で、前記プリセットの時間は、システム情報ブロードキャストの、セルへのアクセスを禁止する時間（３００ｓ）とは異なる。
【００７３】
本発明の実施形態では、上記のアクセス制御方法は、携帯電話、タブレットＰＣ（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、携帯情報端末（ｐｅｒｓｏｎａｌｄｉｇｉｔａｌａｓｓｉｓｔａｎｔ、ＰＤＡと略称する）、モバイルインターネットデバイス（Ｍｏｂｉｌｅ  Ｉｎｔｅｒｎｅｔ  Ｄｅｖｉｃｅ、ＭＩＤ）またはウェアラブルデバイス（Ｗｅａｒａｂｌｅ  Ｄｅｖｉｃｅ）などの端末に適用されることができる。
【００７４】
本発明の実施例のアクセス制御方法は、ネットワーク側によって送信されたネットワーク側アクセス関連情報を受信し、前記ネットワーク側アクセス関連情報は、第１の情報を含み、ターゲットセルの初期帯域幅部分の帯域幅またはデフォルト帯域幅部分の帯域幅または第１のアクティブ帯域幅部分の帯域幅を指示する。前記端末が初期帯域幅部分の帯域幅またはデフォルト帯域幅部分の帯域幅または第１のアクティブ帯域幅部分の帯域幅をサポートしない場合、前記ネットワーク側アクセス関連情報に従って、前記ターゲットセルをアクセス制御処理する。このように、端末は、初期帯域幅部分の帯域幅またはデフォルト帯域幅部分の帯域幅または第１のアクティブ帯域幅部分の帯域幅をサポートしない場合、ネットワーク側アクセス関連情報に従ってターゲットセルをアクセス制御処理することができ、端末のアクセス遅延を低減することができ、システムのＲＡＣＨリソースの浪費を低減することができ、端末の電力消費を低減することができる。
【００７５】
図２を参照すると、本実施例と上記実施例との主な違いは、ネットワーク側デバイスによるアクセス制御方法にある。図２は、本発明の実施例によるアクセス制御方法の流れ図であり、図２に示すように、以下のステップを含む。
【００７６】
ステップ２０１：ネットワーク側アクセス関連情報を送信するステップであって、前記ネットワーク側アクセス関連情報は、第１の情報を含み、前記第１の情報は、ターゲットセルの初期帯域幅部分の帯域幅またはデフォルト帯域幅部分の帯域幅または第１のアクティブ帯域幅部分の帯域幅を指示する。
【００７７】
ネットワーク側デバイスは、ネットワーク側アクセス関連情報を端末に送信し、ネットワーク側アクセス関連情報は、ターゲットセルの初期帯域幅部分の帯域幅、またはデフォルト帯域幅部分の帯域幅、または第１のアクティブ帯域幅部分の帯域幅を指示する情報を含む。
【００７８】
ここで、上記のネットワーク側アクセス関連情報は、具体的には、ＭＩＢ（Ｍａｓｔｅｒ  Ｉｎｆｏｒｍａｔｉｏｎ  Ｂｌｏｃｋ、主要情報ブロック）、ＳＩＢ１（Ｓｙｓｔｅｍ  Ｉｎｆｏｒｍａｔｉｏｎ  Ｂｌｏｃｋ１、第１システム情報ブロック）、専用ＲＲＣ（Ｒａｄｉｏ  Ｒｅｓｏｕｒｃｅ Ｃｏｎｔｒｏｌ、無線リソース制御）シグナリングのうちの少なくとも１つを介して端末に送信されることができる。ここで、専用のＲＲＣシグナリングは、同期再構成シグナリング（Ｒｅｃｏｎｆｉｇｕｒａｔｉｏｎ  ｗｉｔｈ  Ｓｙｎｃ）、またはハンドオーバーコマンド（Ｈａｎｄｏｖｅｒ  Ｃｏｍｍａｎｄ）、ＲＲＣ解放メッセージ、ＲＲＣサスペンドコマンドなどを含む。
【００７９】
任意選択で、前記ネットワーク側アクセス関連情報は、アクセス補助情報をさらに含み、前記アクセス補助情報は、
【００８０】
セルが初期帯域幅部分の帯域幅またはデフォルト帯域幅部分の帯域幅または第１のアクティブ帯域幅部分の帯域幅の端末アクセスをサポートしないことを許可するかどうかを指示するように構成される第２の情報と、
セルが柔軟なスケジューリング制限をサポートするかどうかを指示するように構成される第３の情報と、
セルによってサポートされた最小帯域幅を指示するように構成される第４の情報と、
前記端末がセルの初期帯域幅部分の帯域幅またはデフォルト帯域幅部分の帯域幅または第１のアクティブ帯域幅部分の帯域幅をサポートしない場合、セルへのアクセスを禁止することを指示するように構成される第５の情報、のうちの少なくとも１つを含み得る。
【００８１】
ネットワーク側デバイスは、ネットワーク側アクセス関連情報を端末に送信する一方で、アクセス補助情報も端末に送信し、端末にアクセス補助情報に従ってセルにアクセスするかどうかを意思決定させたり、セルにアクセスするかどうかを端末と交渉したりすることができる。
【００８２】
同様に、上記のアクセス補助情報は、ＭＩＢ（Ｍａｓｔｅｒ  Ｉｎｆｏｒｍａｔｉｏｎ  Ｂｌｏｃｋ、主要情報ブロック）、ＳIＢ１（Ｓｙｓｔｅｍ  Ｉｎｆｏｒｍａｔｉｏｎ  Ｂｌｏｃｋ１、第１システム情報ブロック）、専用ＲＲＣ（Ｒａｄｉｏ  Ｒｅｓｏｕｒｃｅ  Ｃｏｎｔｒｏｌ、無線リソース制御）シグナリングのうちの少なくとも１つを介して端末に送信されることができる。ここで、専用のＲＲＣシグナリングは、同期再構成シグナリング（Ｒｅｃｏｎｆｉｇｕｒａｔｉｏｎ  ｗｉｔｈ  Ｓｙｎｃ）、またはハンドオーバーコマンド（Ｈａｎｄｏｖｅｒ  Ｃｏｍｍａｎｄ）、ＲＲＣ解放メッセージ、ＲＲＣサスペンドコマンドなどを含む。
【００８３】
任意選択で、前記ネットワーク側アクセス関連情報を送信した後、この方法は、
第３のプリセット条件または第４のプリセット条件が成立する場合、端末によって送信された端末側アクセス関連情報を受信するステップであって、
前記第３のプリセット条件の成立には、
端末が、前記初期帯域幅部分の帯域幅またはデフォルト帯域幅部分の帯域幅または第１のアクティブ帯域幅部分の帯域幅をサポートせず、且つ前記第２の情報または第３の情報が「いいえ」を指示する場合、
または
端末が、前記初期帯域幅部分の帯域幅またはデフォルト帯域幅部分の帯域幅または第１のアクティブ帯域幅部分の帯域幅をサポートせず、且つ前記端末が前記第４の情報によって指示された最小帯域幅部分をサポートしない場合を含み、
第４のプリセット条件の成立には、端末は、前記初期帯域幅部分の帯域幅、またはデフォルト帯域幅部分の帯域幅、または第１のアクティブ帯域幅部分の帯域幅をサポートしない場合を含む、ステップをさらに含む。
【００８４】
この実施形態では、ネットワーク側デバイスがネットワーク側アクセス関連情報を端末に送信した後、端末は、ネットワーク側アクセス関連情報に従って、端末側アクセス関連情報をネットワーク側に送信することができる。具体的には、端末は、第３のプリセット条件または第４のプリセット条件が成立する場合、端末側アクセス関連情報をネットワーク側デバイスに送信する。
【００８５】
ここで、前記端末側アクセス関連情報は、
端末によってサポートされた帯域幅情報を指示するように構成される第６の情報と、
端末がセルの最小帯域幅部分をサポートするかどうかを指示するように構成される第７の情報と、
端末がセルの初期帯域幅部分の帯域幅、またはデフォルト帯域幅部分の帯域幅、または第１のアクティブ帯域幅部分の帯域幅をサポートするかどうかを指示するように構成される第８の情報のうちの少なくとも１つを含む。
【００８６】
このようにして、ネットワーク側デバイスは、端末側アクセス関連情報に従って、端末がセルにアクセスすることを許可するかどうかを意思決定することができる。具体的には、端末側アクセス関連情報によって指示された端末によってサポートされた帯域幅情報に従って、端末がセルの帯域幅をサポートするかどうかを決定することができる。または端末側アクセス関連情報によって指示された端末がセルの最小帯域幅部分をサポートするかどうかに従って、端末がセルの帯域幅をサポートするかどうかを決定することができる。または、端末側アクセス関連情報によって指示された端末がセルの初期帯域幅部分の帯域幅またはデフォルト帯域幅部分の帯域幅または第１のアクティブ帯域幅部分の帯域幅をサポートするかどうかに従って、端末がセルの帯域幅をサポートするかどうかを決定することができる。上記の判断によれば、端末がセルの帯域幅をサポートする場合は、端末がセルにアクセスすることが許可されるが、端末がセルの帯域幅をサポートしない場合は、端末がセルにアクセスすることが許可されない。
【００８７】
この実施形態では、ネットワーク側デバイスは、プリセット条件が成立する場合、端末によって送信された端末側アクセス関連情報を受信し、さらに、端末側アクセス関連情報に基づいて、端末がセルにアクセスすることを許可するかどうかを意思決定し、意思決定の柔軟性を向上させ、アクセス効率を向上させ、アクセス遅延を低減することができる。
【００８８】
任意選択で、第３のプリセット条件または第４のプリセット条件が成立する場合、端末によって送信された端末側アクセス関連情報を受信した後、この方法は、
アクセス指示情報を送信するステップであって、前記アクセス指示情報は、端末側アクセス関連情報に従ってネットワーク側によって決定され、前記端末のアクセスを許可するかどうかを指示する、ステップをさらに含む。
【００８９】
この実施形態では、ネットワーク側デバイスは、端末側アクセス関連情報に従って端末のアクセスを許可するかどうかを決定した後、さらにアクセス指示情報を端末に送信して、端末がセルにアクセスすることを許可するかどうかを指示する。端末は、ネットワーク側の指示に従ってセルにアクセスするかどうかを迅速に意思決定することができ、端末のアクセス遅延を低減することができ、アクセス効率を向上させることができる。
【００９０】
本発明の実施例のアクセス制御方法では、ネットワーク側デバイスは、ネットワーク側アクセス関連情報を端末に送信することによって、端末にネットワーク側アクセス関連情報に従ってセルにアクセスするかどうかを決定させる、または端末側から送信されらた端末側アクセス関連情報に従って、端末がセルにアクセスすることを許可するかどうかを意思決定する。本発明の実施例による複数の意思決定は、意思決定の柔軟性を向上させることができ、端末のアクセス遅延を低減することができ、システムのＲＡＣＨリソースの浪費を低減することができ、端末の電力消費を低減することができる。
【００９１】
前述のように、ネットワーク側アクセス関連情報には第１の情報のみを含んでもよい場合、前記端末が前記初期帯域幅部分の帯域幅、またはデフォルト帯域幅部分の帯域幅、または第１のアクティブ帯域幅部分の帯域幅をサポートしない場合、端末のアクセス制御処理は、前記ターゲットセルへのアクセスを許可することができる。
【００９２】
同時に、本発明の具体的な実施例では、端末は、関連技術のように、アクセスリクエストを直接開始することもできる。
【００９３】
これらの２つの場合において、図３に示すように、本発明の実施例による別のアクセス制御方法は、
端末によって送信されたアクセスリクエストを受信するように構成されるステップ３０１と、
ターゲット帯域幅部分に従って前記端末をスケジューリングするように構成されるステップ３０２であって、前記ターゲット帯域幅部分の帯域幅は、前記端末の能力によってサポートされた帯域幅部分の帯域幅、またはシステムによってサポートされた最小帯域幅部分の帯域幅、またはセルの初期帯域幅部分の帯域幅、またはデフォルト帯域幅部分の帯域幅、または第１のアクティブ帯域幅部分の帯域幅である、ステップ３０２とを含む。
【００９４】
この実施形態では、端末は、ネットワーク側デバイスにアクセスリクエストを送信するが、ネットワーク側デバイスは、アクセスリクエストに従ってターゲット帯域幅部分で端末をスケジューリングする。具体的には、端末がサポートできる帯域幅部分の帯域幅、システムによってサポートされた最小帯域幅部分の帯域幅、セルの初期帯域幅部分の帯域幅、デフォルト帯域幅部分の帯域幅、第１のアクティブ帯域幅部分の帯域幅に従って、端末がセル帯域幅をサポートすることを可能にする帯域幅スケジューリング端末の１つを選択することにより、端末にセルの帯域幅をサポートさせることができ、端末のアクセス信頼性を向上させ、端末のアクセス効率を向上させ、アクセス遅延を低減する。
【００９５】
任意選択で、ターゲット帯域幅部分に従って前記端末をスケジューリングすることは、具体的には、
前記端末の能力情報を取得する前に、システムによってサポートされた最小帯域幅部分の帯域幅に従って前記端末をスケジューリングするステップと、
前記端末の能力情報を取得した後、端末の能力にサポートされた帯域幅部分の帯域幅に従って前記端末をスケジューリングするステップとを含む。
【００９６】
この実施形態では、ネットワーク側デバイスは、端末がサポートできる帯域幅情報を取得する前に、システムによってサポートされた最小帯域幅部分の帯域幅に従って端末をスケジューリングする、すなわち、端末のアクセスを優先的に考慮し、端末のアクセスの成功率を向上させる。端末がサポートできる帯域幅情報を取得した後、端末がサポートできる帯域幅の帯域幅部分に従って端末をスケジューリングすることができる。この場合、端末のアクティブ化された帯域幅は、端末の能力と一致し、端末アクセスの性能を向上させ、データ伝送効率を向上させることができる。
【００９７】
本発明の実施例のアクセス制御方法では、ネットワーク側デバイスは、ターゲット帯域幅部分に従って端末をスケジューリングすることによって、端末をスケジューリングする柔軟性を向上させ、端末のアクセス信頼性を向上させ、端末のアクセス効率を向上させ、アクセス遅延を低減する。
【００９８】
本発明の実施例による端末の構造図である図４を参照すると、図４に示すように、端末４００は、受信モジュール４０１と処理モジュール４０２とを含む。
【００９９】
受信モジュール４０１は、ネットワーク側によって送信されたネットワーク側アクセス関連情報を受信するように構成され、前記ネットワーク側アクセス関連情報は、第１の情報を含み、前記第１の情報は、ターゲットセルの初期帯域幅部分の帯域幅またはデフォルト帯域幅部分の帯域幅または第１のアクティブ帯域幅部分の帯域幅を指示する。
【０１００】
処理モジュール４０２は、前記端末が初期帯域幅部分の帯域幅またはデフォルト帯域幅部分の帯域幅または第１のアクティブ帯域幅部分の帯域幅をサポートしない場合、前記ネットワーク側アクセス関連情報に従って前記ターゲットセルをアクセス制御処理するように構成される。
【０１０１】
このように、端末は、初期帯域幅部分の帯域幅またはデフォルト帯域幅部分の帯域幅または第１のアクティブ帯域幅部分の帯域幅をサポートしない場合、ネットワーク側アクセス関連情報に従ってターゲットセルをアクセス制御処理することができ、端末のアクセス遅延を低減することができ、システムのＲＡＣＨリソースの浪費を低減することができ、端末の電力消費を低減することができる。
【０１０２】
任意選択で、前記処理モジュール４０２は、具体的には、
前記ターゲットセルへのアクセスを禁止するように構成される、
または、
前記ターゲットセルへのアクセスを許可するように構成される、
または、
端末側アクセス関連情報を送信するように構成される、
または、
ネットワーク側から送信された使用可能指示がＥｎａｂｌｅであることを受信した場合、端末側アクセス関連情報をに送信するように構成される、
【０１０３】
または、
端末側アクセス関連情報を送信し、
アクセス指示情報を受信し、前記アクセス指示情報は、端末側アクセス関連情報に従ってネットワーク側によって決定され、前記端末のアクセスを許可するかどうかを指示し、
前記アクセス指示情報は、前記端末のアクセスを拒否することを指示する場合、前記ターゲットセルへのアクセスを禁止するように構成される、
または、
ネットワーク側から送信された使用可能指示がＥｎａｂｌｅであることを受信した場合、端末側アクセス関連情報をに送信し、
アクセス指示情報を受信し、前記アクセス指示情報は、端末側アクセス関連情報に従ってネットワーク側によって決定され、前記端末のアクセスを許可するかどうかを指示し、
前記アクセス指示情報は、前記端末のアクセスを拒否することを指示する場合、前記ターゲットセルへのアクセスを禁止するように構成される。
【０１０４】
任意選択で、前記ネットワーク側アクセス関連情報は、アクセス補助情報をさらに含み、前記アクセス補助情報は、
セルが初期帯域幅部分の帯域幅またはデフォルト帯域幅部分の帯域幅または第１のアクティブ帯域幅部分の帯域幅の端末アクセスをサポートしないことを許可するかどうかを指示するように構成される第２の情報と、
セルが柔軟なスケジューリング制限をサポートするかどうかを指示するように構成される第３の情報と、
セルによってサポートされた最小帯域幅を指示するように構成される第４の情報と、
前記端末がセルの初期帯域幅部分の帯域幅またはデフォルト帯域幅部分の帯域幅または第１のアクティブ帯域幅部分の帯域幅をサポートしない場合、セルへのアクセスを禁止することを指示するように構成される第５の情報、のうちの少なくとも１つを含み得る。
【０１０５】
任意選択で、前記処理モジュール４０２は、具体的には、
前記第２の情報また第３の情報が「いいえ」を指示する場合、前記ターゲットセルへのアクセスを禁止するように構成される、
または、
前記端末が前記第４の情報によって指示された最小帯域幅部分をサポートしない場合、前記ターゲットセルへのアクセスを禁止するように構成される、
または、
前記第２の情報または第３の情報が「いいえ」を指示する場合、または前記端末が前記第４の情報によって示された最小帯域幅部分をサポートしない場合、端末側アクセス関連情報を送信するように構成される、
または
前記第２の情報または第３の情報が「いいえ」を指示する場合、または前記端末が前記第４の情報によって示された最小帯域幅部分をサポートしない場合、端末側アクセス関連情報を送信するように構成される、
アクセス指示情報を受信する用途であって、前記アクセス指示情報は、端末側アクセス関連情報に従ってネットワーク側によって決定され、前記端末のアクセスを許可するかどうかを指示し、前記アクセス指示情報は、前記端末のアクセスを拒否することを指示する場合、前記ターゲットセルへのアクセスを禁止するように構成される。
【０１０６】
任意選択で、前記端末側アクセス関連情報は、
端末によってサポートされた帯域幅情報を指示するように構成される第６の情報と、
端末がセルの最小帯域幅部分をサポートするかどうかを指示するように構成される第７の情報と、
端末がセルの初期帯域幅部分の帯域幅、またはデフォルト帯域幅部分の帯域幅、または第１のアクティブ帯域幅部分の帯域幅をサポートするかどうかを指示するように構成される第８の情報のうちの少なくとも１つを含む。
【０１０７】
任意選択で、前記処理モジュール４０２は、具体的には、
プリセットの期間内に前記ターゲットセルへのアクセスを禁止する操作と、
前記ターゲットセルの同一周波数セルへのアクセスを禁止する操作と、
プリセットの期間内に前記ターゲットセルの同一周波数セルへのアクセスを禁止する操作と、
前記ターゲットセルをセルブラックリストに追加する操作と、
プリセットの期間内に前記ターゲットセルをセルブラックリストに追加する操作と、
隣接セルリストから前記ターゲットセルを削除する操作、のうちの少なくとも１つを実行するように構成される。
【０１０８】
任意選択で、前記プリセットの時間は、システム情報ブロードキャストの、セルへのアクセスを禁止する時間とは異なる。端末４００は、前述の方法の実施例において端末によって実施された様々なプロセスを実現することができ、詳細がここで再び記述されることはない。
【０１０９】
本発明の実施例の端末４００は、端末が、初期帯域幅部分の帯域幅またはデフォルト帯域幅部分の帯域幅または第１のアクティブ帯域幅部分の帯域幅をサポートしない場合、ネットワーク側アクセス関連情報に従ってターゲットセルをアクセス制御処理することができ、端末のアクセス遅延を低減することができ、システムのＲＡＣＨリソースの浪費を低減することができ、端末の電力消費を低減することができる。
【０１１０】
本発明の実施例によるネットワーク側デバイスの構造図である図５を参照すると、図５に示すように、ネットワーク側デバイス５００は、第１の送信モジュール５０１を含む。
【０１１１】
第１の送信モジュール５０１は、ネットワーク側アクセス関連情報を送信するように構成される。前記ネットワーク側アクセス関連情報は、第１の情報を含み、前記第１の情報は、ターゲットセルの初期帯域幅部分の帯域幅またはデフォルト帯域幅部分の帯域幅または第１のアクティブ帯域幅部分の帯域幅を指示する。
【０１１２】
任意選択で、前記ネットワーク側アクセス関連情報は、アクセス補助情報をさらに含み、前記アクセス補助情報は、
セルが初期帯域幅部分の帯域幅またはデフォルト帯域幅部分の帯域幅または第１のアクティブ帯域幅部分の帯域幅の端末アクセスをサポートしないことを許可するかどうかを指示するように構成される第２の情報と、
セルが柔軟なスケジューリング制限をサポートするかどうかを指示するように構成される第３の情報と、
セルによってサポートされた最小帯域幅を指示するように構成される第４の情報と、
前記端末がセルの初期帯域幅部分の帯域幅またはデフォルト帯域幅部分の帯域幅または第１のアクティブ帯域幅部分の帯域幅をサポートしない場合、セルへのアクセスを禁止することを指示するように構成される第５の情報、のうちの少なくとも１つを含み得る。
【０１１３】
任意選択で、前記ネットワーク側デバイスは、
第３のプリセット条件または第４のプリセット条件が成立する場合、端末によって送信された端末側アクセス関連情報を受信するように構成される受信モジュールをさらに含み、
前記第３のプリセット条件の成立には、端末が、前記初期帯域幅部分の帯域幅またはデフォルト帯域幅部分の帯域幅または第１のアクティブ帯域幅部分の帯域幅をサポートせず、且つ前記第２の情報または第３の情報が「いいえ」を指示する場合、または端末が、前記初期帯域幅部分の帯域幅、またはデフォルト帯域幅部分の帯域幅、または第１のアクティブ帯域幅部分の帯域幅をサポートせず、且つ前記端末が前記第４の情報によって指示された最小帯域幅部分をサポートしない場合とを含み、
第４のプリセット条件の成立には、端末が、前記初期帯域幅部分の帯域幅またはデフォルト帯域幅部分の帯域幅または第１のアクティブ帯域幅部分の帯域幅をサポートしない場合を含む。
【０１１４】
任意選択で、前記ネットワーク側デバイスは、
アクセス指示情報を送信するように構成される第２の送信モジュールであって、前記アクセス指示情報は、端末側アクセス関連情報に従ってネットワーク側によって決定され、前記端末のアクセスを許可するかどうかを指示するように構成される第２の送信モジュールをさらに含む。
【０１１５】
任意選択で、前記端末側アクセス関連情報は、
端末によってサポートされた帯域幅情報を指示するように構成される第６の情報と、
端末がセルの最小帯域幅部分をサポートするかどうかを指示するように構成される第７の情報と、
端末がセルの初期帯域幅部分の帯域幅、またはデフォルト帯域幅部分の帯域幅、または第１のアクティブ帯域幅部分の帯域幅をサポートするかどうかを指示するように構成される第８の情報のうちの少なくとも１つを含む。
【０１１６】
ネットワーク側デバイス５００は、前述の方法の実施例におけるネットワーク側デバイスによって実施された各ステップを実現することができ、詳細がここで再び記述されることはない。
【０１１７】
本発明の実施例のネットワーク側デバイス５００では、ネットワーク側デバイスは、ネットワーク側アクセス関連情報を端末に送信することによって、端末にネットワーク側アクセス関連情報に従ってセルにアクセスするかどうかを決定させる、または端末側から送信されらた端末側アクセス関連情報に従って、端末がセルにアクセスすることを許可するかどうかを意思決定する。本発明の実施例による複数の意思決定は、意思決定の柔軟性を向上させることができ、端末のアクセス遅延を低減することができ、システムのＲＡＣＨリソースの浪費を低減することができ、端末の電力消費を低減することができる。
【０１１８】
本発明の実施形態によるネットワーク側デバイスの構造図である図６を参照すると、図６に示すように、ネットワーク側デバイス６００は、受信モジュール６０１とスケジューリングモジュール６０２とを含む。 
【０１１９】
受信モジュール６０１は、端末によって送信されたアクセスリクエストを受信するように構成され、
スケジューリングモジュール６０２は、ターゲット帯域幅の部分に従って前記端末をスケジューリングするように構成され、
前記ターゲット帯域幅部分の帯域幅は、前記端末能力によってサポートされた帯域幅部分の帯域幅、またはシステムによってサポートされた最小帯域幅部分の帯域幅、またはセルの初期帯域幅部分の帯域幅、またはデフォルト帯域幅部分の帯域幅、または第１のアクティブ帯域幅部分の帯域幅である、ように構成される。
【０１２０】
任意選択で、前記スケジューリングモジュール６０２は、具体的には、
前記端末の能力情報を取得する前に、システムによってサポートされた最小帯域幅部分の帯域幅に従って前記端末をスケジューリングするように構成され、
前記端末の能力情報を取得した後、端末の能力にサポートされた帯域幅部分の帯域幅に従って前記端末をスケジューリングするように構成される。
【０１２１】
ネットワーク側デバイス６００は、前述の方法の実施例におけるネットワーク側デバイスによって実施された各ステップを実現することができ、詳細がここで再び記述されることはない。
【０１２２】
本発明の実施例のネットワーク側デバイス６００において、ネットワーク側デバイスは、ターゲット帯域幅部分に従って端末をスケジューリングすることによって、端末をスケジューリングする柔軟性を向上させ、端末のアクセス信頼性を向上させ、端末のアクセス効率を向上させ、アクセス遅延を低減する。
【０１２３】
図７は、本出願の実施例を実現するための端末のハードウェア構造の概略図であり、この端末７００は、無線周波数ユニット７０１、ネットワークモジュール７０２、音声出力ユニット７０３、入力ユニット７０４、センサ７０５、表示ユニット７０６、ユーザ入力ユニット７０７、インターフェースユニット７０８、メモリ７０９、プロセッサ７１０、電源７１１および他の構成要素を含むが、これらに限定されない。当業者なら、図７に示す端末の構造が端末の限定を構成するものではなく、端末が図に示すものより多いまたは少ない構成要素か、または何らかの構成要素を組み合わせるか、または異なる構成要素配置を含み得ることを理解することができる。本発明の実施例では、端末は、携帯電話、タブレットＰＣ、ノートパソコン、ＰＤＡ、車載端末、ウェアラブルデバイス、および歩数計を含むが、これらに限定されない。
【０１２４】
ここで、無線周波数ユニット７１０は、ネットワーク側によって送信されたネットワーク側アクセス関連情報を受信するように構成され、前記ネットワーク側アクセス関連情報は、第１の情報を含み、前記第１の情報は、ターゲットセルの初期帯域幅部分の帯域幅またはデフォルト帯域幅部分の帯域幅または第１のアクティブ帯域幅部分の帯域幅を指示する。
【０１２５】
ところが、プロセッサ７１０は、前記端末が初期帯域幅部分の帯域幅またはデフォルト帯域幅部分の帯域幅または第１のアクティブ帯域幅部分の帯域幅をサポートしない場合、前記ネットワーク側アクセス関連情報に従って前記ターゲットセルをアクセス制御処理するように構成される。
【０１２６】
任意選択で、プロセッサ７１０は、前記ネットワーク側アクセス関連情報に従って前記ターゲットセルへのアクセス制御処理を実行することは、具体的には、
前記ターゲットセルへのアクセスを禁止することである、
または、
前記ターゲットセルへのアクセスを許可することである、
または、
端末側アクセス関連情報を送信することである、
または、
ネットワーク側から送信された使用可能指示がＥｎａｂｌｅであることを受信した場合、端末側アクセス関連情報をに送信することである、
または、
端末側アクセス関連情報を送信し、
アクセス指示情報を受信することであって、前記アクセス指示情報は、端末側アクセス関連情報に従ってネットワーク側によって決定され、前記端末のアクセスを許可するかどうかを指示し、
前記アクセス指示情報は、前記端末のアクセスを拒否することを指示する場合、前記ターゲットセルへのアクセスを禁止する、ことである、
または、
ネットワーク側から送信された使用可能指示がＥｎａｂｌｅであることを受信した場合、端末側アクセス関連情報をに送信し、
アクセス指示情報を受信することであって、前記アクセス指示情報は、端末側アクセス関連情報に従ってネットワーク側によって決定され、前記端末のアクセスを許可するかどうかを指示し、
前記アクセス指示情報は、前記端末のアクセスを拒否することを指示する場合、前記ターゲットセルへのアクセスを禁止する、ことである。
【０１２７】
任意選択で、前記ネットワーク側アクセス関連情報は、アクセス補助情報をさらに含み、前記アクセス補助情報は、
セルが初期帯域幅部分の帯域幅またはデフォルト帯域幅部分の帯域幅または第１のアクティブ帯域幅部分の帯域幅の端末アクセスをサポートしないことを許可するかどうかを指示するように構成される第２の情報と、
セルが柔軟なスケジューリング制限をサポートするかどうかを指示するように構成される第３の情報と、
セルによってサポートされた最小帯域幅を指示するように構成される第４の情報と、
前記端末がセルの初期帯域幅部分の帯域幅またはデフォルト帯域幅部分の帯域幅または第１のアクティブ帯域幅部分の帯域幅をサポートしない場合、セルへのアクセスを禁止することを指示するように構成される第５の情報、のうちの少なくとも１つを含み得る。
任意選択で、前記ネットワーク側アクセス関連情報に従って前記ターゲットセルをアクセス制御処理することは、具体的には、
前記第２の情報または第３の情報が「いいえ」を示す場合、プロセッサ７１０は、前記ターゲットセルへのアクセスを禁止することである、
または、
前記端末が第４の情報によって指示された最小帯域幅をサポートしない場合、プロセッサ７１０は、前記ターゲットセルへのアクセスを禁止することである、
または、
前記第２の情報または第３の情報が「いいえ」を指示する場合、または前記端末が前記第４の情報によって指示された最小帯域幅部分をサポートしない場合、無線周波数ユニット７０１は、端末側アクセス関連情報を送信することである、
または、
前記第２の情報または第３の情報が「いいえ」を指示する場合、または前記端末が前記第４の情報によって指示された最小帯域幅部分をサポートしない場合、無線周波数ユニット７０１は、端末側アクセス関連情報を送信することであって、
無線周波数ユニット７０１は、アクセス指示情報を受信し、前記アクセス指示情報は、端末側アクセス関連情報に従ってネットワーク側によって決定され、前記端末のアクセスを許可するかどうかを指示し、
プロセッサ７１０は、前記アクセス指示情報が前記端末のアクセスを拒否することを指示する場合、前記ターゲットセルへのアクセスを禁止する。
【０１２８】
任意選択で、前記端末側アクセス関連情報は、
端末によってサポートされた帯域幅情報を指示するように構成される第６の情報と、
端末がセルの最小帯域幅部分をサポートするかどうかを指示するように構成される第７の情報と、
端末がセルの初期帯域幅部分の帯域幅、またはデフォルト帯域幅部分の帯域幅、または第１のアクティブ帯域幅部分の帯域幅をサポートするかどうかを指示するように構成される第８の情報のうちの少なくとも１つを含む。
【０１２９】
任意選択で、前記プロセッサ７１０は、前記ターゲットセルへのアクセスを禁止する操作を実行し、具体的には、
プリセットの期間内に前記ターゲットセルへのアクセスを禁止する操作と、
前記ターゲットセルの同一周波数セルへのアクセスを禁止する操作と、
プリセットの期間内に前記ターゲットセルの同一周波数セルへのアクセスを禁止する操作と、
前記ターゲットセルをセルブラックリストに追加する操作と、
プリセットの期間内に前記ターゲットセルをセルブラックリストに追加する操作と、
隣接セルリストから前記ターゲットセルを削除する操作とのうちの少なくとも１つを実行する。
【０１３０】
任意選択で、前記プリセットの時間は、システム情報ブロードキャストの、セルへのアクセスを禁止する時間とは異なる。
【０１３１】
本発明の実施例では、無線周波数ユニット７０１は、情報の送受信または通話過程での信号の送受信をするために使用され得ることを理解されたい。具体的には、基地局からのダウンリンクデータを受信した後、プロセッサ７１０によって処理され、また、アップリンクデータを基地局に送信する。一般に、無線周波数ユニット７０１は、アンテナ、１つ以上の増幅器、トランシーバ、カプラ、低雑音増幅器、ダイプレクサなどを含むが、これらに限定されない。さらに、無線周波数ユニット７０１はまた、無線通信システムを介してネットワークおよび他のデバイスと通信することもできる。
【０１３２】
端末は、ネットワークモジュール７０２を介して無線ブロードバンドインターネットアクセスをユーザーに提供しており、例えば、ユーザーが電子メールを送受信したり、ウェブページを閲覧したり、ストリーミングメディアにアクセスしたりするのを支援するなど。
【０１３３】
音声出力ユニット７０３は、無線周波数ユニット７０１またはネットワークモジュール７０２によって受信された、またはメモリ７０９に格納された音声データを音声信号に変換し、それを音声として出力することができる。音声出力ユニット７０３は、端末７００によって実行される特定の機能（例えば、ペーシング信号の受信音、メッセージ受信音など）に関連する音声出力をさらに提供することができる。音声出力ユニット７０３は、スピーカー、ブザー、受話器などを含む。
【０１３４】
入力ユニット７０４は、音声または動画信号を受信するために使用される。入力ユニット７０４は、ビデオキャプチャモードまたは画像キャプチャモードで画像キャプチャ装置（カメラなど）によって取得された静止画像またはビデオ画像データを処理するグラフィックプロセッシングユニット（Ｇｒａｐｈｉｃｓ  Ｐｒｏｃｅｓｓｉｎｇ  Ｕｎｉｔ、ＧＰＵ）７０４１およびマイクロフォン７０４２を含み得る。処理された画像フレームは、表示ユニット７０６に表示することができる。グラフィックプロセッシングユニット７０４１によって処理された画像フレームは、メモリ７０９（または他の記憶媒体）に格納され得るか、または無線周波数ユニット７０１やネットワークモジュール７０２を介して送信され得る。マイクロフォン７０４２は、音を受信することができ、そのような音を音声データに処理することもできる。処理された音声データは、電話通話モードの場合に、無線周波数ユニット７０１を介して移動通信基地局に送信できるフォーマットに変換して出力することができる。
【０１３５】
端末７００は、光センサー、運動センサー、および他のセンサーなどの少なくとも１つのセンサー７０５をさらに含む。具体的には、光センサーは、周囲光の明るさに応じて表示パネル７０６１の輝度を調整することができる環境光センサーと、端末７００が耳に移動したときに表示パネル７０６１および/またはバックライトを閉じることができる近接センサーとを含む。加速度計センサーは、運動センサーの一種として、さまざまな方向（通常は３軸）の加速度の大きさを検出することができ、静止時の重力の大きさ及び方向を検出でき、端末デバイス姿勢の識別（水平および垂直画面切り替え、関連ゲーム、磁力計の姿勢キャリブレーションなど）、振動による関連機能（歩数計、叩きなど）の識別をするために使用することができる。センサー７０５は、指紋センサー、圧力センサー、虹彩センサー、分子センサー、ジャイロスコープ、気圧計、湿度計、温度計、赤外線センサー等をさらに含み得る。詳細がここで再び記述されることはない。
【０１３６】
表示ユニット７０６は、ユーザが入力した情報またはユーザに提供した情報を表示するように構成される。表示ユニット７０６は、表示パネル７０６１を含み得る。表示パネル７０６１は、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ、ＯＬＥＤ）などの形式で配置され得る。
【０１３７】
ユーザ入力ユニット７０７は、入力された数字または文字情報を受信し、端末デバイスのユーザ設定および機能制御に関連するキー信号入力を生成するように構成されている。具体的には、ユーザ入力ユニット７０７は、タッチパネル７０７１および他の入力装置７０７２を含む。タッチパネル７０７１は、タッチスクリーンとも呼ばれ、その上またはその近くでの（例えば、ユーザが指やスタイラスペンなどの任意の適切な物体または付属品を使用してタッチパネル７０７１上またはタッチパネル７０７１の近くでの操作）ユーザのタッチ操作を収集することができる。タッチパネル７０７１は、タッチ検出装置およびタッチコントローラの二つの部分を含み得る。タッチ検出装置は、ユーザーのタッチ位置を検出し、タッチ操作による信号を検出し、その信号をタッチコントローラに送信する。タッチコントローラは、タッチ検出装置からタッチ情報を受信し、それを触点座標に変換し、プロセッサ７１０に送信し、プロセッサ７１０からのコマンドを受信して実行する。さらに、タッチパネル７０７１は、抵抗式、電気容量式、赤外線、および表面音波などの様々なタイプを使用して実現することができる。タッチパネル７０７１に加えて、ユーザ入力ユニット７０７は他の入力装置７０７２をさらに含み得る。具体的には、他の入力装置７０７２は、物理キーボード、機能キー（音量制御キー、スイッチキーなど）、トラックボール、マウス、およびアクションバーを含み得るが、これらに限定されない。詳細がここで再び記述されることはない。
【０１３８】
さらに、タッチパネル７０７１は、表示パネル７０６１を覆うことができ、タッチパネル７０７１がその上またはその近くでのタッチ操作を検出すると、プロセッサ７１０に送信し、タッチイベントのタイプを決定し、その後、プロセッサ７１０がタッチイベントのタイプに応じて、表示パネル７０６１上に対応する視覚的出力を提供する。図７では、タッチパネル７０７１および表示パネル７０６１は、端末の入出力機能を実現するための２つの独立した構成要素として使用されるが、いくつかの実施例では、タッチパネル７０７１と表示パネル７０６１を集成することによって端末の入出力機能を実現することができ、具体的にはここで限定しない。
【０１３９】
インターフェースユニット７０８は、外部装置と端末７００とを接続するインターフェースである。例えば、外部装置は、有線または無線のヘッドフォンポート、外部電源（またはバッテリ充電器）ポート、有線または無線のデータポート、メモリカードポート、識別モジュールを有する装置に接続するためのポート、音声入力/出力（Ｉ／Ｏ）ポート、ビデオＩ／Ｏポート、ヘッドフォンポート等を含み得る。インターフェースユニット７０８は、外部装置からの入力（例えば、データ情報、電力など）を受信し、受信した入力を端末７００における１つ以上の素子に伝送するために使用されることができ、または端末７００と外部装置との間でデータを伝送するために使用されることができる。
【０１４０】
メモリ７０９は、ソフトウェアプログラムおよび様々なデータを格納するために使用され得る。メモリ７０９は、主にプログラム記憶領域およびデータ記憶領域を含むことができ、プログラム記憶領域は、操作システム、少なくとも１つの機能に必要なアプリケーションプログラム（音声再生機能、画像再生機能など）などを収納でき、データ記憶領域は、携帯電話の使用による作成されたデータ（音声データ、電話帳など）を収納できる。また、メモリ７０９は、高速ランダムアクセスメモリを含んでもよく、非揮発性メモリを含んでも良い。例えば、少なくとも１つのディスクメモリ、フラッシュメモリ、または他の揮発性ソリッドステートメモリ。
【０１４１】
プロセッサ７１０は、端末の制御センターであり、様々なインターフェースおよび回線で端末全体の各部を接続し、メモリ７０９に格納されたソフトウェアプログラムおよび/またはモジュールを運行または実行すること、及びメモリ７０９に格納されたデータを呼び出すことによって、端末デバイスの各種機能とデータの処理を実行し、端末全体を監視する。プロセッサ７１０は、１つ以上の処理ユニットを含み得る。任意選択で、プロセッサ７１０は、アプリケーションプロセッサおよびモデムプロセッサを集成することができ、アプリケーションプロセッサは、主に操作システム、ユーザインターフェース、およびアプリケーションプログラムなどを処理し、モデムプロセッサは、主に無線通信を処理する。上記のモデムプロセッサは、プロセッサ７１０に集成されなくてもよいと理解され得る。
【０１４２】
端末７００はまた、様々な構成要素に電力を供給するための電源７１１（バッテリーなど）を含み得る。任意選択で、電源７１１は、電力管理システムを介してプロセッサ７１０に論理的に接続されることによって、電源管理システムで充放電管理、および電力消費管理等の機能を実現することができる。
【０１４３】
さらに、端末７００は、示されていないいくつかの機能モジュールを含む。詳細がここで再び記述されることはない。
【０１４４】
任意選択で、本発明の実施例は、プロセッサ７１０と、メモリ７０９と、メモリ７０９に収納され且つ前記プロセッサ７１０で実行可能なプログラムとを含む端末をさらに提供し、このプログラムがプロセッサ７１０によって実行されるとき、上記のアクセス制御方法の実施例における各ステップを実現し、且つ同じ技術的効果を達成できる。詳細がここで再び記述されることはない。
【０１４５】
本発明の実施例は、コンピュータプログラムが記憶されたコンピュータ読み取り可能な記憶媒体をさらに提供し、このプログラムがプロセッサによって実行されるとき、上記のアクセス制御方法の実施例における各ステップを実現し、且つ同じ技術的効果を達成できる。詳細がここで再び記述されることはない。前記コンピュータ読み取り可能な記憶媒体は、読み出し専用メモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、磁気ディスクまたは光ディスクなどである。
【０１４６】
本発明の実施例によるネットワーク側デバイスの構造図である図８を参照する。図８に示すように、このネットワーク側デバイス８００は、プロセッサ８０１と、トランシーバ８０２と、メモリ８０３と、バスインターフェースとを含み、ここで、
トランシーバ８０２は、
ネットワーク側アクセス関連情報を送信する用途であって、前記ネットワーク側アクセス関連情報は、第１の情報を含み、前記第１の情報は、ターゲットセルの初期帯域幅部分の帯域幅またはデフォルト帯域幅部分の帯域幅または第１のアクティブ帯域幅部分の帯域幅を指示する、用途に使用される。
【０１４７】
任意選択で、前記ネットワーク側アクセス関連情報は、アクセス補助情報をさらに含み、前記アクセス補助情報は、
セルが初期帯域幅部分の帯域幅またはデフォルト帯域幅部分の帯域幅または第１のアクティブ帯域幅部分の帯域幅の端末アクセスをサポートしないことを許可するかどうかを指示するように構成される第２の情報と、
セルが柔軟なスケジューリング制限をサポートするかどうかを指示するように構成される第３の情報と、
セルによってサポートされた最小帯域幅を指示するように構成される第４の情報と、
前記端末がセルの初期帯域幅部分の帯域幅またはデフォルト帯域幅部分の帯域幅または第１のアクティブ帯域幅部分の帯域幅をサポートしない場合、セルへのアクセスを禁止することを指示するように構成される第５の情報、のうちの少なくとも１つを含み得る。
【０１４８】
任意選択で、トランシーバ８０２はまた、
第３のプリセット条件または第４のプリセット条件が成立する場合、端末によって送信された端末側アクセス関連情報を受信する用途であって、
前記第３のプリセット条件の成立には、端末が、前記初期帯域幅部分の帯域幅またはデフォルト帯域幅部分の帯域幅または第１のアクティブ帯域幅部分の帯域幅をサポートせず、且つ前記第２の情報または第３の情報が「いいえ」を指示する場合、または端末が、前記初期帯域幅部分の帯域幅、またはデフォルト帯域幅部分の帯域幅、または第１のアクティブ帯域幅部分の帯域幅をサポートせず、且つ前記端末が前記第４の情報によって指示された最小帯域幅部分をサポートしない場合とを含み、
第４のプリセット条件の成立には、端末が、前記初期帯域幅部分の帯域幅、またはデフォルト帯域幅部分の帯域幅、または第１のアクティブ帯域幅部分の帯域幅をサポートしない場合を含む、用途をさらに含む。
【０１４９】
任意選択で、トランシーバ８０２はまた、
アクセス指示情報を送信するように構成され、前記アクセス指示情報は、端末側アクセス関連情報に従ってネットワーク側によって決定され、前記端末のアクセスを許可するかどうかを指示する。
【０１５０】
任意選択で、前記端末側アクセス関連情報は、
端末によってサポートされた帯域幅情報を指示するように構成される第６の情報と、
端末がセルの最小帯域幅部分をサポートするかどうかを指示するように構成される第７の情報と、
端末がセルの初期帯域幅部分の帯域幅、またはデフォルト帯域幅部分の帯域幅、または第１のアクティブ帯域幅部分の帯域幅をサポートするかどうかを指示するように構成される第８の情報のうちの少なくとも１つを含む。
【０１５１】
図８では、バスアーキテクチャは、任意の数の相互接続されたバスおよびブリッジを含み得る。具体的には、プロセッサ８０１によって表される１つ以上のプロセッサと、メモリ８０３によって表されるメモリの様々な回路によってリンクされる。バスアーキテクチャはまた、当技術分野で公知である周辺機器、電圧調整器、および電力管理回路などの他の様々な回路をリンクすることができるので、本明細書ではこれ以上説明しない。バスインターフェースがインターフェースを提供する。トランシーバ８０２は、伝送媒体上の様々な他のデバイスと通信するためのユニットを提供する送信機および受信機を含む複数の要素であり得る。異なるユーザ装置の場合、ユーザインターフェース８０４はまた、必要なデバイスと外部および内部で接続することができるインターフェースであってもよく、接続されたデバイスは、キーパッド、ディスプレイ、スピーカー、マイクロフォン、ジョイスティックなどを含むが、これらに限定されない 。
【０１５２】
プロセッサ８０１は、バスアーキテクチャおよび一般的な処理を管理して、メモリ８０３は、プロセッサ８０１が操作を実行するときに使用されるデータを格納することができる。
【０１５３】
この実施例における上記のネットワーク側デバイス８００は、本発明の実施例の方法実施例における任意の実施形態のネットワーク側デバイスであってもよく、本発明の実施例の方法実施例におけるネットワーク側デバイスの任意の実施形態は、いずれも本実施例における上記ネットワーク側デバイス８００によって実現されることができ、且つ同じ技術的効果を達成できる。詳細がここで再び記述されることはない。
【０１５４】
本発明の実施例は、コンピュータプログラムが記憶されたコンピュータ読み取り可能な記憶媒体をさらに提供し、このコンピュータプログラムがプロセッサによって実行されるとき、上記のネットワーク側デバイスに対応するアクセス制御方法の実施例における各ステップを実現し、且つ同じ技術的効果を達成できる。詳細がここで再び記述されることはない。前記コンピュータ読み取り可能な記憶媒体は、読み出し専用メモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、磁気ディスクまたは光ディスクなどである。
【０１５５】
本発明の別の実施例によるネットワーク側デバイスは、プロセッサ８０１と、トランシーバ８０２と、メモリ８０３と、バスインターフェースとを含み、
トランシーバ８０２は、端末によって送信されたアクセスリクエストを受信するように構成され、
プロセッサ８０１は、ターゲット帯域幅の部分に従って前記端末をスケジューリングするように構成され、
前記ターゲット帯域幅部分の帯域幅は、前記端末能力によってサポートされた帯域幅部分の帯域幅、またはシステムによってサポートされた最小帯域幅部分の帯域幅、またはセルの初期帯域幅部分の帯域幅、またはデフォルト帯域幅部分の帯域幅、または第１のアクティブ帯域幅部分の帯域幅である。
【０１５６】
任意選択で、プロセッサ８０１は、ターゲット帯域幅部分に従って前記端末をスケジューリングすることは、具体的には、
前記端末の能力情報を取得する前に、システムによってサポートされた最小帯域幅部分の帯域幅に従って前記端末をスケジューリングするステップと、
前記端末の能力情報を取得した後、端末の能力にサポートされた帯域幅部分の帯域幅に従って前記端末をスケジューリングするステップとを含む。
【０１５７】
本発明の実施例は、コンピュータプログラムが記憶されたコンピュータ読み取り可能な記憶媒体をさらに提供し、このコンピュータプログラムがプロセッサによって実行されるとき、上記のネットワーク側デバイスに対応するアクセス制御方法の実施例における各ステップを実現し、且つ同じ技術的効果を達成できる。詳細がここで再び記述されることはない。前記コンピュータ読み取り可能な記憶媒体は、読み出し専用メモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、磁気ディスクまたは光ディスクなどである。
【０１５８】
また、本明細書において、「含む」、「有する」という用語、およびその他の任意の変形は、非排他的な包含をカバーすることを意図しており、例えば、一連の要素を含むプロセス、方法、物品、または装置は、それらの要素を含むだけではなく、明示的にリストアップされてはいない他の要素、またはそのようなプロセス、方法、物品もしくは装置に固有のその他の要素を含み得る、ということに留意すべきである。これ以上の制限がない場合、「．．．を含む」という文で限定された要素は、その要素を含むプロセス、方法、物品、または装置の内に他の同一の要素が存在することを排除するものではない。
【０１５９】
上記の実施形態の説明を通じて、当業者は、上記の実施形態の方法が、ソフトウェアおよび必要な汎用ハードウェアプラットフォームによって実現され得ることを明確に理解することができる。もちろん、ハードウェアによっても実施できるが、多くの場合、前者の方が優れている。この理解に基づいて、本発明の技術的なソリューションの本質または先行技術に寄与する部分は、ソフトウェア製品の形で体現することができ、このコンピュータソフトウェア製品が一つの記憶媒体（ＲＯＭ／ＲＡＭ、磁気ディスク、光ディスク）に収納されて、１台の端末（携帯電話、コンピュータ、サーバ、エアコン、またはネットワークデバイスなどであり得る）に本発明の各実施例に記載の方法を実行させるためのいくつかの命令を含む。
【０１６０】
以上は、添付の図面に関して本発明の実施例についての説明であって、本発明は上記の具体的な実施形態に限定されないものであって、上記の具体的な実施形態は、例示的にすぎず、限定的ではなく、当業者は、本出願の啓発の下で、本発明の主旨および請求項の保護範囲から逸脱することなく、多くの形態を作成することができ、いずれも本発明の保護範囲内に含まれるものである。
【図１】
2022502952.tif 000003
【図２】
2022502952.tif 000004
【図３】
2022502952.tif 000005
【図４】
2022502952.tif 000006
【図５】
2022502952.tif 000007
【図６】
2022502952.tif 000008
【図７】
2022502952.tif 000009
【図８】
2022502952.tif 000010
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
ネットワーク側によって送信されたネットワーク側アクセス関連情報を受信するステップであって、前記ネットワーク側アクセス関連情報は、第１の情報を含み、前記第１の情報は、ターゲットセルの初期帯域幅部分の帯域幅またはデフォルト帯域幅部分の帯域幅または第１のアクティブ帯域幅部分の帯域幅を指示する、ステップと、
前記端末が、前記初期帯域幅部分の帯域幅またはデフォルト帯域幅部分の帯域幅または第１のアクティブ帯域幅部分の帯域幅をサポートしない場合、前記ネットワーク側アクセス関連情報に従って前記ターゲットセルをアクセス制御処理するステップとを含む、端末に適用されるアクセス制御方法。
【請求項２】
前記ネットワーク側アクセス関連情報に従って、前記ターゲットセルをアクセス制御処理する前記ステップは、具体的には、
前記ターゲットセルへのアクセスを禁止することである、または、
前記ターゲットセルへのアクセスを許可することである、または、
端末側アクセス関連情報を送信することである、または、
ネットワーク側から送信された使用可能指示がイネーブルである場合、端末側のアクセス関連情報を送信することである、または、
端末側アクセス関連情報を送信して、端末側アクセス関連情報に従ってネットワーク側によって決定されたアクセス指示情報を受信して、前記アクセス指示情報が前記端末のアクセスを拒否することを指示す場合、前記ターゲットセルへのアクセスを禁止することである、または
ネットワーク側から送信された使用可能指示がイネーブルである場合、端末側のアクセス関連情報を送信して、端末側アクセス関連情報に基づいてネットワーク側によって決定されたアクセス指示情報を受信して、前記アクセス指示情報が前記端末のアクセスを拒否することを指示する場合、前記ターゲットセルへのアクセスを禁止することである、請求項１に記載のアクセス制御方法。
【請求項３】
前記ネットワーク側アクセス関連情報は、アクセス補助情報をさらに含み、前記アクセス補助情報は、
セルが初期帯域幅部分の帯域幅またはデフォルト帯域幅部分の帯域幅または第１のアクティブ帯域幅部分の帯域幅の端末アクセスをサポートしないことを許可するかどうかを指示するように構成される第２の情報と、
セルが柔軟なスケジューリング制限をサポートするかどうかを指示するように構成される第３の情報と、
セルによってサポートされた最小帯域幅を指示するように構成される第４の情報と、
前記端末がセルの初期帯域幅部分の帯域幅またはデフォルト帯域幅部分の帯域幅または第１のアクティブ帯域幅部分の帯域幅をサポートしない場合、セルへのアクセスを禁止することを指示するように構成される第５の情報と、のうちの少なくとも１つを含む、請求項１に記載のアクセス制御方法。
【請求項４】
前記ネットワーク側アクセス関連情報に従って、前記ターゲットセルをアクセス制御処理する前記ステップは、具体的には、
前記第２の情報により前記セルは前記初期帯域幅部分の帯域幅、またはデフォルト帯域幅部分の帯域幅または第１のアクティブ帯域幅部分の帯域幅をサポートしない端末アクセスを許可しないことが示される、または前記第３の情報により前記セルが柔軟なスケジューリング制限をサポートしないことが示される場合、前記ターゲットセルへのアクセスを禁止することである、
または、
前記端末が前記第４の情報によって指示された最小帯域幅部分をサポートしない場合、前記ターゲットセルへのアクセスを禁止することである、
または、
前記第２の情報により前記セルは前記初期帯域幅部分の帯域幅、またはデフォルト帯域幅部分の帯域幅または第１のアクティブ帯域幅部分の帯域幅をサポートしない端末アクセスを許可しないことが示される、または第３の情報により前記セルが柔軟なスケジューリング制限をサポートしないことが示される場合、または前記端末が前記第４の情報によって示された最小帯域幅部分をサポートしない場合、端末側アクセス関連情報を送信することである、
または、
第１のプリセット条件が成立する場合、端末側アクセス関連情報を送信することであって、前記第１のプリセット条件の成立は、前記第２の情報により前記セルは前記初期帯域幅部分の帯域幅、またはデフォルト帯域幅部分の帯域幅または第１のアクティブ帯域幅部分の帯域幅をサポートしない端末アクセスを許可しないことが示される、または第３の情報により前記セルが柔軟なスケジューリング制限をサポートしないことが示され、且つネットワーク側から送信された使用可能指示がイネーブルである場合、または前記端末が前記第４の情報によって指示された最小帯域幅部分をサポートせず、且つネットワーク側から送信された使用可能指示がイネーブルである場合を含む、ことである、
または、
前記第２の情報により前記セルは前記初期帯域幅部分の帯域幅、またはデフォルト帯域幅部分の帯域幅または第１のアクティブ帯域幅部分の帯域幅をサポートしない端末アクセスを許可しないことが示される、または第３の情報により前記セルが柔軟なスケジューリング制限をサポートしないことが示される場合、または前記端末が前記第４の情報によって示された最小帯域幅部分をサポートしない場合、端末側アクセス関連情報を送信して、端末側アクセス関連情報に基づいてネットワーク側によって決定されたアクセス指示情報を受信し、前記アクセス指示情報が前記端末のアクセスを拒否することを指示する場合、前記ターゲットセルへのアクセスを禁止することである、
または、
第２のプリセット条件が成立する場合、端末側アクセス関連情報を送信し、端末側アクセス関連情報に基づいてネットワーク側によって決定されたアクセス指示情報を受信し、前記アクセス指示情報が前記端末のアクセスを拒否することを指示する場合、前記ターゲットセルへのアクセスを禁止することであって、
前記第２のプリセット条件の成立は、前記第２の情報により前記セルは前記初期帯域幅部分の帯域幅、またはデフォルト帯域幅部分の帯域幅または第１のアクティブ帯域幅部分の帯域幅をサポートしない端末アクセスを許可しないことが示される、または第３の情報により前記セルが柔軟なスケジューリング制限をサポートしないことが示され、且つネットワーク側から送信された使用可能指示がイネーブルである場合、または前記端末が前記第４の情報によって指示された最小帯域幅部分をサポートせず、且つネットワーク側から送信された使用可能指示がイネーブルである場合を含む、ことである、請求項３に記載のアクセス制御方法。
【請求項５】
前記端末側アクセス関連情報は、
端末によってサポートされた帯域幅情報を指示するように構成される第６の情報と、
端末がセルの最小帯域幅部分をサポートするかどうかを指示するように構成される第７の情報と、
端末がセルの初期帯域幅部分の帯域幅、またはデフォルト帯域幅部分の帯域幅、または第１のアクティブ帯域幅部分の帯域幅をサポートするかどうかを指示するように構成される第８の情報とのうちの少なくとも１つを含む、請求項２または請求項４に記載のアクセス制御方法。
【請求項６】
前記ターゲットセルへのアクセスを禁止することは、具体的には、
プリセットの期間内に前記ターゲットセルへのアクセスを禁止する操作と、
前記ターゲットセルの同一周波数セルへのアクセスを禁止する操作と、
プリセットの期間内に前記ターゲットセルの同一周波数セルへのアクセスを禁止する操作と、
前記ターゲットセルをセルブラックリストに追加する操作と、
プリセットの期間内に前記ターゲットセルをセルブラックリストに追加する操作と、
隣接セルリストから前記ターゲットセルを削除する操作とのうちの少なくとも１つを含む、
前記プリセットの期間は、システム情報ブロードキャストの、セルへのアクセスを禁止する時間とは異なる、請求項２または請求項４に記載のアクセス制御方法。
【請求項７】
ネットワーク側アクセス関連情報を送信するステップであって、前記ネットワーク側アクセス関連情報は、第１の情報を含み、前記第１の情報は、ターゲットセルの初期帯域幅部分の帯域幅またはデフォルト帯域幅部分の帯域幅または第１のアクティブ帯域幅部分の帯域幅を指示する、ステップを含むネットワーク側デバイスに適用されるアクセス制御方法。
【請求項８】
前記ネットワーク側アクセス関連情報は、アクセス補助情報をさらに含み、前記アクセス補助情報は、
セルが初期帯域幅部分の帯域幅またはデフォルト帯域幅部分の帯域幅または第１のアクティブ帯域幅部分の帯域幅の端末アクセスをサポートしないことを許可するかどうかを指示するように構成される第２の情報と、
セルが柔軟なスケジューリング制限をサポートするかどうかを指示するように構成される第３の情報と、
セルによってサポートされた最小帯域幅を指示するように構成される第４の情報と、
前記端末がセルの初期帯域幅部分の帯域幅またはデフォルト帯域幅部分の帯域幅または第１のアクティブ帯域幅部分の帯域幅をサポートしない場合、セルへのアクセスを禁止することを指示するように構成される第５の情報と、のうちの少なくとも１つを含む、請求項７に記載のアクセス制御方法。
【請求項９】
前記ネットワーク側アクセス関連情報を送信した後、
第３のプリセット条件または第４のプリセット条件が成立する場合、端末によって送信された端末側アクセス関連情報を受信するステップであって、
前記第３のプリセット条件の成立には、
端末が、前記初期帯域幅部分の帯域幅、またはデフォルト帯域幅部分の帯域幅、または第１のアクティブ帯域幅部分の帯域幅をサポートせず、且つ前記第２の情報により前記セルは前記初期帯域幅部分の帯域幅、またはデフォルト帯域幅部分の帯域幅または第１のアクティブ帯域幅部分の帯域幅をサポートしない端末アクセスを許可しないことが示される、または第３の情報により前記セルが柔軟なスケジューリング制限をサポートしないことが示される場合、
または、
端末が、前記初期帯域幅部分の帯域幅、またはデフォルト帯域幅部分の帯域幅、または第１のアクティブ帯域幅部分の帯域幅をサポートせず、且つ前記端末が前記第４の情報によって指示された最小帯域幅部分をサポートしない場合を含み、
第４のプリセット条件の成立には、端末が、前記初期帯域幅部分の帯域幅、またはデフォルト帯域幅部分の帯域幅、または第１のアクティブ帯域幅部分の帯域幅をサポートしない場合を含む、ステップをさらに含む、請求項８に記載のアクセス制御方法。
【請求項１０】
第３のプリセット条件または第４のプリセット条件が成立する場合、端末によって送信された端末側アクセス関連情報を受信した後、この方法は、
アクセス指示情報を送信するステップであって、前記アクセス指示情報は、端末側アクセス関連情報に従ってネットワーク側によって決定され、前記端末のアクセスを許可するかどうかを指示する、ステップをさらに含む、請求項９に記載のアクセス制御方法。
【請求項１１】
前記端末側アクセス関連情報は、
端末によってサポートされた帯域幅情報を指示するように構成される第６の情報と、
端末がセルの最小帯域幅部分をサポートするかどうかを指示するように構成される第７の情報と、
端末がセルの初期帯域幅部分の帯域幅、またはデフォルト帯域幅部分の帯域幅、または第１のアクティブ帯域幅部分の帯域幅をサポートするかどうかを指示するように構成される第８の情報のうちの少なくとも１つを含む、請求項９に記載のアクセス制御方法。
【請求項１２】
端末によって送信されたアクセスリクエストを受信するステップと、
ターゲット帯域幅の部分に従って、前記端末をスケジューリングするステップであって、
前記ターゲット帯域幅部分の帯域幅は、前記端末能力によってサポートされた帯域幅部分の帯域幅、またはシステムによってサポートされた最小帯域幅部分の帯域幅、またはセルの初期帯域幅部分の帯域幅、またはデフォルト帯域幅部分の帯域幅、または第１のアクティブ帯域幅部分の帯域幅である、ステップとを含む、ネットワーク側デバイスに適用されるアクセス制御方法。
【請求項１３】
前記ターゲット帯域幅従って前記端末をスケジューリングすることは、
前記端末の能力情報を取得する前に、システムによってサポートされた最小帯域幅部分の帯域幅に従って前記端末をスケジューリングするステップと、
前記端末の能力情報を取得した後、端末の能力にサポートされた帯域幅部分の帯域幅に従って前記端末をスケジューリングするステップとを含む、請求項１２に記載のアクセス制御方法。
【請求項１４】
ネットワーク側によって送信されたネットワーク側アクセス関連情報を受信するように構成される受信モジュールであって、前記ネットワーク側アクセス関連情報は、第１の情報を含み、前記第１の情報は、ターゲットセルの初期帯域幅部分の帯域幅またはデフォルト帯域幅部分の帯域幅または第１のアクティブ帯域幅部分の帯域幅を指示するように構成される受信モジュールと、
前記端末が初期帯域幅部分の帯域幅またはデフォルト帯域幅部分の帯域幅または第１のアクティブ帯域幅部分の帯域幅をサポートしない場合、前記ネットワーク側アクセス関連情報に従って前記ターゲットセルをアクセス制御処理するように構成される処理モジュールとを含む、端末。
【請求項１５】
ネットワーク側アクセス関連情報を送信するように構成される第１の送信モジュールであって、前記ネットワーク側アクセス関連情報は、第１の情報を含み、前記第１の情報は、ターゲットセルの初期帯域幅部分の帯域幅またはデフォルト帯域幅部分の帯域幅または第１のアクティブ帯域幅部分の帯域幅を指示するように構成される第１の送信モジュールを含むネットワーク側デバイス。
【請求項１６】
端末によって送信されたアクセスリクエストを受信するように構成される受信モジュールと、
ターゲット帯域幅の部分に従って前記端末をスケジューリングするように構成されるスケジューリングモジュールであって、
前記ターゲット帯域幅部分の帯域幅は、前記端末能力によってサポートされた帯域幅部分の帯域幅、またはシステムによってサポートされた最小帯域幅部分の帯域幅、またはセルの初期帯域幅部分の帯域幅、またはデフォルト帯域幅部分の帯域幅、または第１のアクティブ帯域幅部分の帯域幅であるように構成されるスケジューリングモジュールとを含む、ネットワーク側デバイス。
【国際調査報告】
2022502952.tif 000011
2022502952.tif 000012
2022502952.tif 000013
2022502952.tif 000014